(57)【特許請求の範囲】
【請求項１】
１つ以上のフォーマット修正グローバルナビゲーション衛星システム（ＧＮＳＳ）感度支援（ＳＡ）情報信号を通信リンク上で、位置探索支援を供与することを動作的に可能にされた位置探索サーバから移動局に送信することを備え、
前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
無線通信ネットワークにおける使用のための方法。
【請求項２】
前記１つ以上のフォーマット修正ＧＮＳＳ  ＳＡ情報信号は前記プリアンブル情報信号を備えない、請求項１に記載の方法。
【請求項３】
前記１つ以上のフォーマット修正ＧＮＳＳ  ＳＡ情報信号は前記符号化された情報信号を備えない、請求項１に記載の方法。
【請求項４】
前記１つ以上のフォーマット修正ＧＮＳＳ  ＳＡ情報信号は前記タイムマーク情報信号を備えない、請求項１に記載の方法。
【請求項５】
前記１つ以上のフォーマット修正ＧＮＳＳ  ＳＡ情報信号を確立することを更に備える、請求項１に記載の方法。
【請求項６】
前記１つ以上のフォーマット修正ＧＮＳＳ  ＳＡ情報信号は少なくとも１つの位置決定データメッセージ（ＰＤＤＭ）を介して送信される、請求項１に記載の方法。
【請求項７】
前記少なくとも１つのＰＤＤＭの供与要素において前記１つ以上のフォーマット修正ＧＮＳＳ  ＳＡ情報信号を送信することを更に備える、請求項６に記載の方法。
【請求項８】
要請されていない前記少なくとも１つのＰＤＤＭを送信することを更に備える、請求項６に記載の方法。
【請求項９】
少なくとも１つの要請ＰＤＤＭを前記移動局から受信する前記位置探索サーバに応じて前記１つ以上のフォーマット修正ＧＮＳＳ  ＳＡ情報信号を送信することを更に備え，前記少なくとも１つの要請ＰＤＤＭは要求要素信号を備える、請求項６に記載の方法。
【請求項１０】
前記要求要素信号は前記１つ以上のフォーマット修正ＧＮＳＳ  ＳＡ情報信号を識別するインジケータ信号を備える、請求項９に記載の方法。
【請求項１１】
前記要求要素信号は選択されたＧＮＳＳリソースを識別するインジケータ信号を備える、請求項９に記載の方法。
【請求項１２】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項１に記載の方法。
【請求項１３】
前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、請求項１に記載の方法。
【請求項１４】
移動局によって、
位置探索支援を前記移動局に供与することを動作的に可能にされた位置探索サーバから１つ以上のフォーマット修正グローバルナビゲーション衛星システム（ＧＮＳＳ）感度支援（ＳＡ）情報信号を通信リンク上で受信することと、
前記１つ以上のフォーマット修正ＧＮＳＳ  ＳＡ情報信号にある程度基づいて、少なくとも１つのＧＮＳＳ信号を捕捉しようと試みることと、
を備え、
前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
無線通信ネットワークにおける使用のための方法。
【請求項１５】
前記１つ以上のフォーマット修正ＧＮＳＳ  ＳＡ情報信号は前記プリアンブル情報信号を備えない、請求項１４に記載の方法。
【請求項１６】
前記１つ以上のフォーマット修正ＧＮＳＳ  ＳＡ情報信号は前記符号化された情報信号を備えない、請求項１４に記載の方法。
【請求項１７】
前記１つ以上のフォーマット修正ＧＮＳＳ  ＳＡ情報信号は前記タイムマーク情報信号を備えない、請求項１４に記載の方法。
【請求項１８】
前記１つ以上のネイティブフォーマット化ＧＮＳＳ  ＳＡ情報信号の少なくとも一部に少なくともある程度基づいて、前記受信された１つ以上のフォーマット修正ＧＮＳＳ  ＳＡ情報信号に対応する１つ以上のネイティブフォーマット化ＧＮＳＳ  ＳＡ情報信号を確立することを更に備える、請求項１４に記載の方法。
【請求項１９】
少なくとも１つの基準タイム信号に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号を確立することを更に備える、請求項１８に記載の方法。
【請求項２０】
前記１つ以上のフォーマット修正ＧＮＳＳ  ＳＡ情報信号の少なくとも一部に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号内に少なくとも１つの符号化された情報信号を確立することを更に備える、請求項１８に記載の方法。
【請求項２１】
前記１つ以上のフォーマット修正ＧＮＳＳ  ＳＡ情報信号は少なくとも１つの位置決定データメッセージ（ＰＤＤＭ）を介して受信される、請求項１４に記載の方法。
【請求項２２】
前記少なくとも１つのＰＤＤＭの供与要素において前記１つ以上のフォーマット修正ＧＮＳＳ  ＳＡ情報信号を受信することを更に備える、請求項２１に記載の方法。
【請求項２３】
少なくとも１つの要請ＰＤＤＭを前記移動局から前記位置探索サーバに送信することを更に備え、前記少なくとも１つの要請ＰＤＤＭは要求要素信号を備える、請求項２１に記載の方法。
【請求項２４】
前記要求要素信号は前記１つ以上のフォーマット修正ＧＮＳＳ  ＳＡ情報信号を識別するインジケータ信号を備える、請求項２３に記載の方法。
【請求項２５】
前記要求要素信号は選択されたＧＮＳＳリソースを識別するインジケータ信号を備える、請求項２３に記載の方法。
【請求項２６】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項１４に記載の方法。
【請求項２７】
前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、請求項１４に記載の方法。
【請求項２８】
移動局によって、
少なくとも１つのメッセージを表す１つ以上の信号を通信リンク上で、位置探索支援を前記移動局に供与することを動作的に可能にされた位置探索サーバに送信することを備え、前記少なくとも１つのメッセージは修正フォーマットの１つ以上のグローバルナビゲーション衛星システム（ＧＮＳＳ）感度支援（ＳＡ）情報信号を選択的に要求する少なくとも１つのフォーマットインジケータを備え、
前記修正フォーマットになっているときに前記１つ以上のＧＮＳＳ  ＳＡ情報信号は、予測されたＧＮＳＳデータを含み、ネイティブフォーマットの前記１つ以上のＧＮＳＳ  ＳＡ情報信号の一部を表し、
前記ネイティブフォーマットの前記１つ以上のＧＮＳＳ  ＳＡ情報信号は、プリアンブル情報信号、符号化された情報信号、タイムマーク情報信号のうちの少なくとも１つを含む、
無線通信ネットワークにおける使用のための方法。
【請求項２９】
前記修正フォーマットになっているときに前記１つ以上のＧＮＳＳ  ＳＡ情報信号はプリアンブル情報信号、符号化情報信号、および／またはタイムマーク情報信号のうちの少なくとも１つを備えない、請求項２８に記載の方法。
【請求項３０】
前記少なくとも１つのメッセージは選択されたＧＮＳＳリソースを識別するインジケータを備える、請求項２８に記載の方法。
【請求項３１】
前記１つ以上のＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項２８に記載の方法。
【請求項３２】
前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、請求項２８に記載の方法。
【請求項３３】
無線通信ネットワーク内で位置探索支援を移動局に供与する際の使用のための装置であって、
１つ以上のフォーマット修正グローバルナビゲーション衛星システム（ＧＮＳＳ）感度支援（ＳＡ）情報信号を確立するための手段と、
少なくとも１つのメッセージを介して前記１つ以上の修正フォーマットＧＮＳＳ  ＳＡ情報信号を前記移動局に送信するための手段と、
を備え、
前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
装置。
【請求項３４】
前記１つ以上のフォーマット修正ＧＮＳＳ  ＳＡ情報信号は前記プリアンブル情報信号を備えない、請求項３３に記載の装置。
【請求項３５】
前記１つ以上のフォーマット修正ＧＮＳＳ  ＳＡ情報信号は前記符号化された情報信号を備えない、請求項３３に記載の装置。
【請求項３６】
前記１つ以上のフォーマット修正ＧＮＳＳ  ＳＡ情報信号は前記タイムマーク情報信号を備えない、請求項３３に記載の装置。
【請求項３７】
前記１つ以上のネイティブフォーマット化ＧＮＳＳ  ＳＡ情報信号に少なくともある程度基づいて、前記１つ以上のフォーマット修正ＧＮＳＳ  ＳＡ情報信号を確立するための手段を更に備える、請求項３３に記載の装置。
【請求項３８】
前記１つ以上のフォーマット修正ＧＮＳＳ  ＳＡ情報信号および／または選択されたＧＮＳＳリソースのうちの少なくとも１つを識別する要求要素信号を備える少なくとも１つの要請メッセージを前記移動局から受信するための手段を更に備える、請求項３３に記載の装置。
【請求項３９】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項３３に記載の装置。
【請求項４０】
無線通信ネットワーク内で位置探索支援を受信することを動作的に可能にされた移動局における使用のための装置であって、
１つ以上のフォーマット修正グローバルナビゲーション衛星システム（ＧＮＳＳ）感度支援（ＳＡ）情報信号を備える少なくとも１つのメッセージを位置探索サーバから受信するための手段と、
前記１つ以上の受信されたＧＮＳＳ  ＳＡ情報信号の少なくとも一部に少なくともある程度基づいて、少なくとも１つのＧＮＳＳ信号を捕捉するための手段と、
を備え、
前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
装置。
【請求項４１】
１つ以上のネイティブフォーマット化ＧＮＳＳ  ＳＡ情報信号の少なくとも一部に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号を確立するための手段を更に備えており、
前記１つ以上の受信されたＧＮＳＳ  ＳＡ情報信号の少なくとも前記一部に少なくともある程度基づいて、前記少なくとも１つのＧＮＳＳ信号を捕捉するための手段は、前記１つ以上の確立されたネイティブフォーマット化ＧＮＳＳ  ＳＡ情報信号の少なくとも一部に少なくともある程度基づいて、前記少なくとも１つのＧＮＳＳ信号を捕捉するための手段を備える、請求項４０に記載の装置。
【請求項４２】
前記１つ以上のフォーマット修正ＧＮＳＳ  ＳＡ情報信号は前記プリアンブル情報信号を備えない、請求項４１に記載の装置。
【請求項４３】
前記１つ以上のフォーマット修正ＧＮＳＳ  ＳＡ情報信号は前記符号化された情報信号を備えない、請求項４１に記載の装置。
【請求項４４】
前記１つ以上のフォーマット修正ＧＮＳＳ  ＳＡ情報信号は前記タイムマーク情報信号を備えない、請求項４１に記載の装置。
【請求項４５】
少なくとも１つの基準タイム信号に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号を確立するための手段を更に備える、請求項４１に記載の装置。
【請求項４６】
前記１つ以上のフォーマット修正ＧＮＳＳ  ＳＡ情報信号の少なくとも一部に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号内に少なくとも１つの符号化された情報信号を確立するための手段を更に備える、請求項４１に記載の装置。
【請求項４７】
前記１つ以上のフォーマット修正ＧＮＳＳ  ＳＡ情報信号および／または選択されたＧＮＳＳリソースの少なくとも１つを識別する要求要素信号を備える少なくとも１つの要請メッセージを前記位置探索サーバに送信するための手段を更に備える、請求項４０に記載の装置。
【請求項４８】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項４０に記載の装置。
【請求項４９】
無線通信ネットワーク内で位置探索支援を移動局に供与する際の使用のための位置探索サーバ装置であって、
１つ以上の受信されたＧＮＳＳ信号に少なくともある程度基づいて、１つ以上のフォーマット修正グローバルナビゲーション衛星システム（ＧＮＳＳ）感度支援（ＳＡ）情報信号を確立することを動作的に可能にされた信号プロセッサと、
少なくとも前記信号プロセッサに動作的に接続されていて、前記１つ以上のフォーマット修正ＧＮＳＳ  ＳＡ情報信号の少なくとも一部を少なくとも１つのメッセージを介して前記移動局に送信することを動作的に可能にされた送信機と、
を備え、
前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
位置探索サーバ装置。
【請求項５０】
前記１つ以上のフォーマット修正ＧＮＳＳ  ＳＡ情報信号は前記プリアンブル情報信号を備えない、請求項４９に記載の装置。
【請求項５１】
前記１つ以上のフォーマット修正ＧＮＳＳ  ＳＡ情報信号は前記符号化された情報信号を備えない、請求項４９に記載の装置。
【請求項５２】
前記１つ以上のフォーマット修正ＧＮＳＳ  ＳＡ情報信号は前記タイムマーク情報信号を備えない、請求項４９に記載の装置。
【請求項５３】
前記移動局によって送信された少なくとも１つの要請メッセージを受信するための受信機を更に備え、前記少なくとも１つの要請メッセージは前記１つ以上のフォーマット修正ＧＮＳＳ  ＳＡ情報信号および／または選択されたＧＮＳＳリソースの少なくとも１つを識別する要求要素信号を備える、請求項４９に記載の位置探索サーバ装置。
【請求項５４】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項４９に記載の装置。
【請求項５５】
無線通信ネットワーク内で位置探索支援を受信することを動作的に可能にされた移動局における使用のための特定の装置であって、
少なくとも１つのメッセージを位置探索サーバから受信することを動作的に可能にされた無線通信ネットワークインタフェースと、前記少なくとも１つのメッセージは１つ以上のフォーマット修正グローバルナビゲーション衛星システム（ＧＮＳＳ）感度支援（ＳＡ）情報信号を備える、
前記１つ以上のフォーマット修正ＧＮＳＳ  ＳＡ情報信号に少なくともある程度基づいて、ＧＮＳＳ信号を選択的に捕捉することを動作的に可能にされた衛星測位システム（ＳＰＳ）受信機と、
を備え、
前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
特定の装置。
【請求項５６】
前記特定の装置は前記１つ以上のフォーマット修正ＧＮＳＳ情報信号に対応する前記１つ以上のネイティブフォーマット化ＧＮＳＳ  ＳＡ情報信号を確立することを動作的に可能にされた信号プロセッサを更に備えており、
前記ＳＰＳ受信機は前記１つ以上の確立されたネイティブフォーマット化ＧＮＳＳ  ＳＡ情報信号に少なくともある程度基づいて、ＧＮＳＳ信号を選択的に捕捉することを動作的に可能にされている、請求項５５に記載の特定の装置。
【請求項５７】
前記１つ以上のフォーマット修正ＧＮＳＳ  ＳＡ情報信号は前記プリアンブル情報信号を備えない、請求項５５に記載の特定の装置。
【請求項５８】
前記１つ以上のフォーマット修正ＧＮＳＳ  ＳＡ情報信号は前記符号化された情報信号を備えない、請求項５５に記載の特定の装置。
【請求項５９】
前記１つ以上のフォーマット修正ＧＮＳＳ  ＳＡ情報信号は前記タイムマーク情報信号を備えない、請求項５５に記載の特定の装置。
【請求項６０】
前記信号プロセッサは少なくとも１つの基準タイム信号に少なくともある程度基づいて、前記１つ以上のネイティブフォーマット化ＧＮＳＳ  ＳＡ情報信号を確立することを動作的に可能にされている、請求項５６に記載の特定の装置。
【請求項６１】
前記信号プロセッサは前記１つ以上のフォーマット修正ＧＮＳＳ  ＳＡ情報信号の少なくとも一部に少なくともある程度基づいて、前記受信された１つ以上のフォーマット修正ＧＮＳＳ  ＳＡ情報信号対応する前記１つ以上のネイティブフォーマット化ＧＮＳＳ  ＳＡ情報信号内に少なくとも１つの符号化された情報信号を確立することを動作的に可能にされている、請求項５６に記載の特定の装置。
【請求項６２】
前記無線通信ネットワークインタフェースは少なくとも１つの要請メッセージを前記位置探索サーバに送信することを動作的に可能にされ、前記少なくとも１つの要請メッセージは前記１つ以上のフォーマット修正ＧＮＳＳ  ＳＡ情報信号および／または選択されたＧＮＳＳリソースの少なくとも１つを識別する要求要素信号を備える、請求項５５に記載の特定の装置。
【請求項６３】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項５５に記載の特定の装置。
【請求項６４】
無線通信ネットワーク内で位置探索支援を受信することを動作的に可能にされた移動局における使用のための特定の装置であって、
少なくとも１つのメッセージを表す少なくとも１つの信号を、前記移動局に位置探索支援を供与することを動作的に可能にされた位置探索サーバに通信リンク上で送信することを動作的に可能にされた無線通信ネットワークインタフェースを備え、前記少なくとも１つのメッセージはネイティブフォーマットまたは修正フォーマットの１つ以上のグローバルナビゲーション衛星システム（ＧＮＳＳ）感度支援（ＳＡ）情報信号を選択的に要求する少なくとも１つのフォーマットインジケータを備え、
前記修正フォーマットになっているときに前記１つ以上のＧＮＳＳ  ＳＡ情報信号は、予測されたＧＮＳＳデータを含み、前記ネイティブフォーマットの前記１つ以上のＧＮＳＳ  ＳＡ情報信号の一部を表し、
前記ネイティブフォーマットの前記１つ以上のＧＮＳＳ  ＳＡ情報信号は、プリアンブル情報信号、符号化された情報信号、タイムマーク情報信号のうちの少なくとも１つを含む、
特定の装置。
【請求項６５】
前記修正フォーマットになっているときに前記１つ以上のＧＮＳＳ  ＳＡ情報信号はプリアンブル情報信号、符号化情報信号および／またはタイムマーク情報信号のうちの少なくとも１つを備えない、請求項６４に記載の特定の装置。
【請求項６６】
前記少なくとも１つのメッセージは選択されたＧＮＳＳリソースを識別するインジケータを備える、請求項６４に記載の特定の装置。
【請求項６７】
前記１つ以上のＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項６４に記載の特定の装置。
【請求項６８】
前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、請求項６４に記載の特定の装置。
【請求項６９】
ある特定の装置内の１つ以上の処理ユニットによって実現された場合に前記特定の装置が、
１つ以上の受信されたＧＮＳＳ信号に少なくともある程度基づいて１つ以上のフォーマット修正グローバルナビゲーション衛星システム（ＧＮＳＳ）感度支援（ＳＡ）情報信号を確立することと、
前記１つ以上のフォーマット修正ＧＮＳＳ  ＳＡ情報信号の移動局への通信リンク上での送信を開始することと、前記１つ以上のフォーマット修正ＧＮＳＳ  ＳＡ情報信号は少なくとも１つのメッセージを介して送信され、
ここで、前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
を動作的に可能にするコンピュータ実行可能命令を記憶しているコンピュータ可読媒体を備える製品。
【請求項７０】
前記１つ以上のフォーマット修正ＧＮＳＳ  ＳＡ情報信号は前記プリアンブル情報信号を備えない、請求項６９に記載の製品。
【請求項７１】
前記１つ以上のフォーマット修正ＧＮＳＳ  ＳＡ情報信号は前記符号化された情報信号を備えない、請求項６９に記載の製品。
【請求項７２】
前記１つ以上のフォーマット修正ＧＮＳＳ  ＳＡ情報信号は前記タイムマーク情報信号を備えない、請求項６９に記載の製品。
【請求項７３】
前記１つ以上の処理ユニットによって実現された場合に前記特定の装置が、
前記移動局からの少なくとも１つの要請メッセージにアクセスすること、前記少なくとも１つの要請メッセージは前記１つ以上のフォーマット修正ＧＮＳＳ  ＳＡ情報信号および／または選択されたＧＮＳＳリソースの少なくとも１つを識別する少なくとも１つのインジケータ信号を有する要求要素信号を備える、
を動作的に可能にするコンピュータ実行可能命令を更に備える、請求項６９に記載の製品。
【請求項７４】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項６９に記載の製品。
【請求項７５】
前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、請求項６９に記載の製品。
【請求項７６】
ある特定の装置内の１つ以上の処理ユニットによって実現された場合に前記特定の装置が、
位置探索サーバからの少なくとも１つのメッセージにアクセスすることと、前記少なくとも１つのメッセージは１つ以上のフォーマット修正グローバルナビゲーション衛星システム（ＧＮＳＳ）感度支援（ＳＡ）情報信号を備える、
前記１つ以上の受信されたＧＮＳＳ  ＳＡ情報信号の少なくとも一部に少なくともある程度基づいて、少なくとも１つのＧＮＳＳ信号を捕捉することを動作的に可能にされた受信機に前記１つ以上のＧＮＳＳ  ＳＡ情報信号の少なくとも前記一部を供与することと、
ここで、前記１つ以上のフォーマット修正ＧＮＳＳ  ＳＡ情報信号は、予測されたＧＮＳＳデータを含み、選択されたＧＮＳＳリソースに関連する１つ以上の対応するネイティブフォーマット化ＧＮＳＳ  ＳＡ情報信号の一部を表し、
前記１つ以上のネイティブフォーマット化ＧＮＳＳ  ＳＡ情報信号は、プリアンブル情報信号、符号化された情報信号、タイムマーク情報信号のうちの少なくとも１つを含む、
を動作的に可能にするコンピュータ実行可能命令を記憶しているコンピュータ可読媒体を備える製品。
【請求項７７】
前記１つ以上のフォーマット修正ＧＮＳＳ  ＳＡ情報信号は前記プリアンブル情報信号を備えない、請求項７６に記載の製品。
【請求項７８】
前記１つ以上のフォーマット修正ＧＮＳＳ  ＳＡ情報信号は前記符号化された情報信号を備えない、請求項７６に記載の製品。
【請求項７９】
前記１つ以上のフォーマット修正ＧＮＳＳ  ＳＡ情報信号は前記タイムマーク情報信号を備えない、請求項７６に記載の製品。
【請求項８０】
前記１つ以上の処理ユニットによって実現された場合に前記特定の装置が、
前記１つ以上のフォーマット修正ＧＮＳＳ  ＳＡ情報信号の少なくとも一部と少なくとも１つの基準タイム信号とに少なくともある程度基づいて、前記１つ以上のネイティブフォーマット化ＧＮＳＳ情報信号を確立することとを可能にするコンピュータ実行可能命令を更に備える、請求項７６に記載の製品。
【請求項８１】
前記１つ以上の処理ユニットによって実現された場合に前記特定の装置が、
前記１つ以上のフォーマット修正ＧＮＳＳ  ＳＡ情報信号の少なくとも一部に少なくともある程度基づいて、前記１つ以上のネイティブフォーマット化ＧＮＳＳ情報信号内に少なくとも１つの符号化された情報信号を確立することを動作的に可能にするコンピュータ実行可能命令を更に備える、請求項７６に記載の製品。
【請求項８２】
前記１つ以上の処理ユニットによって実現された場合に前記特定の装置が、
少なくとも１つの要請メッセージの前記位置探索サーバへの送信を開始すること、前記少なくとも１つの要請メッセージは前記１つ以上のフォーマット修正ＧＮＳＳ  ＳＡ情報信号および／または選択されたＧＮＳＳリソースの少なくとも１つを識別する要求要素信号を備える、
を動作的に可能にするコンピュータ実行可能命令を更に備える、請求項７６に記載の製品。
【請求項８３】
前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項７６に記載の製品。
【請求項８４】
ある特定の装置内の１つ以上の処理ユニットによって実現された場合に前記特定の装置が、
少なくとも１つのメッセージを表す１つ以上の信号の、通信リンク上での位置探索サーバへの送信を開始すること、前記少なくとも１つのメッセージはネイティブフォーマットまたは修正フォーマットの１つ以上のグローバルナビゲーション衛星システム（ＧＮＳＳ）感度支援（ＳＡ）情報信号を選択的に要求する少なくとも１つのフォーマットインジケータを備え、
ここで、前記修正フォーマットになっているときに前記１つ以上のＧＮＳＳ  ＳＡ情報信号は、予測されたＧＮＳＳデータを含み、前記ネイティブフォーマットの前記１つ以上のＧＮＳＳ  ＳＡ情報信号の一部を表し、
前記ネイティブフォーマットの前記１つ以上のＧＮＳＳ  ＳＡ情報信号は、プリアンブル情報信号、符号化された情報信号、タイムマーク情報信号のうちの少なくとも１つを含む、
を動作的に可能にするコンピュータ実行可能命令を記憶しているコンピュータ可読媒体を備える製品。
【請求項８５】
前記修正フォーマットになっているときに前記１つ以上のＧＮＳＳ  ＳＡ情報信号はプリアンブル情報信号、符号化情報信号および／またはタイムマーク情報信号の少なくとも１つを備えない、請求項８４に記載の製品。
【請求項８６】
前記少なくとも１つのメッセージは選択されたＧＮＳＳリソースを識別するインジケータを備える、請求項８４に記載の製品。
【請求項８７】
前記１つ以上のＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、請求項８４に記載の製品。
【請求項８８】
前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、請求項８４に記載の製品。
【発明の詳細な説明】
【技術分野】
【０００１】
ここに開示された主題は、無線通信ネットワークとデバイスとに関し、また特に種々の衛星測位システム（ＳＰＳ）に関連する感度支援（sensitivity assistance）情報を要求および／または供与するための無線通信ネットワーク内でのデバイスによる使用のための方法と装置とに関する。
【背景技術】
【０００２】
本特許出願は、２００８年７月１８日に出願され、「ＧＮＳＳ感度支援」と題し、また引用によってここに出願の全体が組み込まれている米国仮特許出願第６１／０８２，１１２号の利益とこれに対する優先権とを主張する。
【０００３】
位置決定プロセスは、無線通信ネットワークに関連するデバイスの位置を推定、またはそうでなければ決定するために使用され得る。ある特定の例では位置決定プロセスは、携帯電話または他の同様な移動局といった移動機に関する位置座標を推定するために実施され得る。位置決定プロセスをサポートするために利用可能な種々の技法が存在する。例えば移動局の位置を推定するために、全地球測位システム（ＧＰＳ）および／または他の同様なシステムといった衛星測位システム（ＳＰＳ）が使用され得る。無線通信ネットワークに関連してある幾つかの位置決定システムは、情報および／または処理タスクが多数のデバイス間で共用および／または分配されることを必要とする可能性がある．例えばある幾つかの事例では移動局は、位置決定プロセスの一部として１つ以上の他のデバイスによってある方法で支援され得る。その結果としてこのようなデバイスが、ある方法で例えば無線リンク上で１つ以上の位置決定通信セッションを介して、通信する必要性がしばしば存在する。したがってこのような位置決定通信セッションを可能にし、またそのようなものとして位置決定プロセスをサポートするために、１つ以上の位置決めプロトコルが開発され得る。
【発明の概要】
【０００４】
１つ以上の衛星測位システム（ＳＰＳ）に関連する感度支援情報信号を共用（例えば要求および／または供与）するための無線通信ネットワーク内でのデバイス（単数または複数）による使用のための方法および装置が提供される。
【０００５】
ある幾つかの態様によれば例えば、無線通信ネットワークにおいてある方法が実現され得る。この方法は、位置探索支援を供与することを動作的に可能にされた位置探索サーバから移動局に通信リンク上で、予測される１つ以上のフォーマット修正（format modified）グローバルナビゲーション衛星システム（ＧＮＳＳ）感度支援（ＳＡ）情報信号を送信することを含み得る。例えばフォーマット修正ＧＮＳＳ  ＳＡ情報信号は、選択されたＧＮＳＳリソースに関連する１つ以上の対応するネイティブフォーマット化ＧＮＳＳ  ＳＡ情報信号の一部を表し得る。したがってある幾つかの例示的実施形態ではネイティブフォーマット化ＧＮＳＳ  ＳＡ情報信号は、プリアンブル情報信号、符号化情報信号（例えば符号化使用蛇行符号化（encoded using meander coding）、前方誤り訂正（ＦＥＣ）符号化（Forward Error Correction coding）、畳み込み符号化（convolutional coding）、および／または同様なもの）、および／またはフォーマット修正ＧＮＳＳ  ＳＡ情報信号に含まれ得ない、またはある方法で含まれ得るタイムマーク情報信号を含み得る。ここで使用されているようにＧＮＳＳ  ＳＡ情報信号がフォーマット化とは無関係に実際の送信されたＧＮＳＳデータよりむしろ予測されたＧＮＳＳデータを含むことは理解されるべきである。これに続くセクションで更に詳細に論じられるようにこのような予測されたＧＮＳＳデータは、実際のＧＮＳＳデータが送信されるときにおそらく性能を改善するために移動局といったデバイスによって使用され得る。例えばこのような予測されたＧＮＳＳデータはＧＮＳＳ拡張信号に変調されたナビゲーションデータを除去する（wipe-off）ためにＧＮＳＳ受信機で使用され得る。この方法でＧＮＳＳ受信機は、受信機感度を改善し得るＧＮＳＳ信号の送信されたデータシンボルの持続時間を超えてコヒーレント積分（coherent integration）を拡張できる。
【０００６】
ある幾つかの他の態様によれば、例えば移動局での使用のための方法が提供される。ここで、この方法は位置探索支援を供与することを動作的に可能にされた位置探索サーバから移動局に通信リンク上で１つ以上のフォーマット修正ＧＮＳＳ  ＳＡ情報信号を受信することを含み得る。ある幾つかの実施形態では本方法はまた、この１つ以上のネイティブフォーマット化ＧＮＳＳ  ＳＡ情報信号の少なくとも一部、少なくとも１つの基準時間信号、および／またはこの１つ以上のフォーマット修正ＧＮＳＳ  ＳＡ情報信号の少なくとも一部、に少なくともある程度基づいて、この受信された１つ以上のフォーマット化ＧＮＳＳ  ＳＡ情報信号に対応する１つ以上のネイティブフォーマット化ＧＮＳＳ  ＳＡ情報信号を確立することを含み得る。
【０００７】
更に他の態様によれば、例えば移動局での使用のための方法が提供され得る。本方法は、ネイティブフォーマットまたは修正フォーマットの１つ以上のＧＮＳＳ  ＳＡ情報信号を選択的に要求する少なくとも１つのフォーマットインジケータを含み得る少なくとも１つのメッセージを表す１つ以上の信号を、通信リンク上で移動局に位置探索支援を供与することを動作的に可能にされた位置探索サーバに送信することを含み得る。このメッセージはまた、選択されたＧＮＳＳリソースを識別するインジケータも含み得る。例えばＧＮＳＳリソースは、ＧＰＳリソース、ＳＢＡＳリソース、ＱＺＳＳリソース、ＧＬＯＮＡＳＳリソース、Ｇａｌｉｌｅｏリソース、Ｃｏｍｐａｓｓ/ＢｅｉＤｏｕリソース、および／または同様なもののうちの少なくとも１つを含み得る。ある幾つかの実施形態では、例えばＧＮＳＳリソースはＧＮＳＳ信号、ＧＮＳＳ信号帯域、衛星測位システム（ＳＰＳ）信号、および／または宇宙船（ＳＶ）のうちの少なくとも１つに関連し得る。
【０００８】
更に他の態様によれば、例えば無線通信ネットワーク内で移動局に位置探索支援を供与する際の使用のための位置探索サーバ装置は、１つ以上の受信されたＧＮＳＳ信号に少なくともある程度基づいて１つ以上のフォーマット修正ＧＮＳＳ  ＳＡ情報信号を確立することを動作的に可能にされた信号プロセッサを含み得る。この位置探索サーバ装置はまた、移動局に少なくとも１つのメッセージを介して１つ以上のフォーマット修正ＧＮＳＳ  ＳＡ情報信号の少なくとも一部を送信することを動作的に可能にされた送信機を含み得る。位置探索サーバ装置はまた、移動局によって送信された少なくとも１つの要請メッセージを受信することを動作的に可能にされた受信機を含み得る。ここで例えば要請メッセージ（単数または複数）は、１つ以上のフォーマット修正ＧＮＳＳ  ＳＡ情報信号および／または選択されたＧＮＳＳリソースのうちの少なくとも１つを識別する要求要素信号を含み得る。
【０００９】
ある幾つかの他の態様によれば、例えば無線通信ネットワーク内で位置探索支援を受信することを動作的に可能にされた移動局における使用のためのある特定の装置が提供される。この特定の装置は、少なくとも１つのメッセージを位置探索サーバから受信することを動作的に可能にされた無線通信ネットワークインタフェースを含むことができ、この少なくとも１つのメッセージ（単数または複数）は１つ以上のフォーマット修正ＧＮＳＳ  ＳＡ情報信号を含む。この特定の装置はまた、１つ以上のフォーマット修正ＧＮＳＳ  ＳＡ情報信号に少なくともある程度基づいて、ＧＮＳＳ信号を選択的に捕捉することを動作的に可能にされたＳＰＳ受信機を含み得る。
【００１０】
もう１つの態様によれば、例えば無線通信ネットワーク内で位置探索支援を受信することを動作的に可能にされた移動局における使用のためのある特定の装置が提供され得る。ここでこの特定の装置は、移動局に位置探索支援を供与することを動的に可能にされた位置探索サーバに通信リンク上で少なくとも１つのメッセージを表す１つ以上の信号を送信することを動作的に可能にされた無線通信ネットワークインタフェースを含み得る。メッセージ（単数または複数）は、ネイティブフォーマットまたは修正フォーマットの１つ以上のＧＮＳＳ  ＳＡ情報信号を選択的に要求する少なくとも１つのフォーマットインジケータを含み得る。
【００１１】
更に他の例示的態様によれば、コンピュータ実行可能命令を記憶しているコンピュータ可読媒体を含む製品が提供され得る。ある特定の装置内の１つ以上の処理ユニットによって実現された場合にコンピュータ実行可能命令は、この特定の装置が、１つ以上の受信されたＧＮＳＳ  ＳＡ情報信号に少なくともある程度基づいて、１つ以上のフォーマット修正ＧＮＳＳ  ＳＡ情報信号を確立することと、１つ以上のフォーマット修正ＧＮＳＳ  ＳＡ情報信号の通信リンク上での移動局への送信を開始することと、この１つ以上のフォーマット修正ＧＮＳＳ  ＳＡ情報信号は少なくとも１つのメッセージを介して送信される、を動作的に可能にし得る。
【００１２】
更に他の例示的態様によれば、コンピュータ実行可能命令を記憶しているコンピュータ可読媒体を含む製品が提供される。ある特定の装置内の１つ以上の処理ユニットによって実現された場合にコンピュータ実行可能命令は、この特定の装置が位置探索サーバからの少なくとも１つのメッセージにアクセスすることを動作的に可能にし得る。メッセージ（単数または複数）は、１つ以上のフォーマット修正ＧＮＳＳ  ＳＡ情報信号を含むことが可能であり、また１つ以上の受信されたＧＮＳＳ  ＳＡ情報信号の少なくとも一部に少なくともある程度基づいて少なくとも１つのＧＮＳＳ信号を捕捉することを動作的に可能にされた受信機に１つ以上のＧＮＳＳ  ＳＡ情報信号の少なくとも一部を供与し得る。
【００１３】
ある幾つかの他の態様によれば、例えばコンピュータ実行可能命令を記憶しているコンピュータ可読媒体を含む製品が提供される。ある特定の装置内の１つ以上の処理ユニットによって実現された場合にコンピュータ実行可能命令は、この特定の装置が通信リンク上での少なくとも１つのメッセージを表す１つ以上の信号の位置探索サーバへの送信を開始することを動作的に可能にし得る。メッセージ（単数または複数）は、ネイティブフォーマットまたは修正フォーマットの１つ以上のＧＮＳＳ  ＳＡ情報信号を選択的に要求する少なくとも１つのフォーマットインジケータを含み得る。
【図面の簡単な説明】
【００１４】
【図１】一実施形態にしたがって、２つのデバイスが互いに通信することと、位置決定プロセスを開始および／またはそうでなければサポートすることと、を可能にされ得る例示的無線通信ネットワーク環境を示す概略ブロック図である。
【図２】一実施形態にしたがって位置決定プロセスを開始および／またはそうでなければサポートすることを可能にされ得るデバイスのある幾つかの例示的特徴を示す概略ブロック図である。
【図３】一実施形態にしたがって位置決定プロセスを開始および／またはそうでなければサポートするために１つ以上のデバイスに実現され得る例示的方法を示す流れ図である。
【図４】一実施形態にしたがってネイティブおよび修正フォーマットの感度支援情報を描く例示的ブロック図である。
【図５】一実施形態にしたがって例示的ネイティブフォーマットの感度支援情報信号の部分を描く例示的ブロック図である。
【図６】ある幾つかの実施形態にしたがって例示的修正フォーマットの感度支援情報信号の部分を描く例示的ブロック図である。
【図７】ある幾つかの実施形態にしたがって例示的修正フォーマットの感度支援情報信号の部分を描く例示的ブロック図である。
【図８】ある幾つかの実施形態にしたがってＧＮＳＳ感度支援情報信号を使用して位置決定プロセスを開始および／またはそうでなければサポートすることを可能にされた２つのデバイス間の種々の例示的メッセージ交換を示す流れ図である。
【詳細な説明】
【００１５】
別に指定されなければ種々の図全体を通して同様の参照数字が同様の部分を指す以下の図を参照しながら、非限定的、非網羅的態様が説明される。
【００１６】
位置決定プロセスは、デバイスの位置を、また特定の例では移動局、パーソナル・ナビゲーション・デバイス（ＰＮＤ）、または追跡デバイスといった移動機の位置を、推定またはそうでなければ決定するために使用され得る。位置決定プロセスをサポートするために利用可能な種々の技法が存在する。無線通信ネットワークに関連してある幾つかの位置決定プロセスは、情報および／または処理タスクが２群のデバイスの間および／または多数のデバイスそれぞれの間に分散されることを必要とする可能性がある。例えばある幾つかの事例では１つの移動機は、１つの位置決定プロセスの一部として１つ以上の他のデバイスによってある方法で支援され得る。その結果としてこのようなデバイスが例えば無線リンク上で１つ以上の通信セッション、例えば「位置決定通信セッション」を介して、ある方法で通信する必要性が存在し得る。種々の位置決定プロセスをサポートするためのこのような位置決定通信セッションを可能にするために１つ以上の位置決めプロトコルが開発され得る。このような位置決めプロトコルは、移動機によって要求されるべき、および／または移動機に供与されるべき、１つ以上の衛星測位システム（ＳＰＳ）に関連する感度支援（ＳＡ）情報に備えることができる。
【００１７】
これに続くセッションで更に詳細に説明されるように、ある幾つかの例示的態様によれば、例えば位置決定プロセスの一部としてＳＡ情報を移動局に供与することを可能にされ得る方法および装置が位置探索サーバ（location server）内に実現され得る。
【００１８】
ここで例えば、ある方法は１つ以上のフォーマット修正グローバルナビゲーション衛星システム（ＧＮＳＳ）ＳＡ情報信号を通信リンク上で位置探索サーバから移動局に送信することを含み得る。フォーマット修正ＧＮＳＳ  ＳＡ情報信号は、例えば少なくとも１つの位置決定データメッセージ（ＰＤＤＭ）、無線リソースＬＣＳ（位置探索サービス）プロトコル（ＲＲＬＰ）メッセージ（例えばＲＲＬＰ位置測定要求、ＲＲＬＰ支援データ配信など）、無線リソース制御（ＲＲＣ）メッセージ（例えばＲＲＣ測定制御、ＲＲＣ支援データ配信など）、ＬＴＥ位置決めプロトコル（ＬＰＰ）メッセージ、および／または他の同様なメッセージ、を介して送信され得る。限定ではなく例として、ある幾つかのＰＤＤＭメッセージはここで説明される例で説明される。
【００１９】
ある幾つかの例示的実施形態では、フォーマット修正ＧＮＳＳ  ＳＡ情報信号は、選択されたＧＮＳＳリソースに関連する対応するネイティブフォーマット化（native formatted）ＧＮＳＳ  ＳＡ情報信号の一部を表し得る。このようなものとして、対応するネイティブフォーマット化ＧＮＳＳ  ＳＡ情報信号に比較されたときにフォーマット修正ＧＮＳＳ  ＳＡ情報信号は、送信、記憶および／または処理するためにより効率的であり得る。
【００２０】
限定ではなく例としてネイティブフォーマット化ＧＮＳＳ  ＳＡ情報信号は、全部または一部が、対応するフォーマット修正ＧＮＳＳ  ＳＡ情報信号に含まれない可能性のあるプリアンブル情報信号を含み得る。ある幾つかの他の例では、ネイティブフォーマット化ＧＮＳＳ  ＳＡ情報信号は、符号化された情報信号の全部または一部が、対応するフォーマット修正ＧＮＳＳ  ＳＡ情報信号に含まれない可能性のある符号化された情報信号（例えば蛇行符号化情報信号、ＦＥＣ符号化情報信号、畳み込み符号化情報信号、Ｂｏｓｅ−Ｃｈａｕｄｈｕｒｉ−Ｈｏｃｑｕｅｎｇｈｅｍ（ＢＣＨ）符号化情報信号、ＬＤＰＣ符号化情報信号、インタリービングによる低密度パリティチェック（ＬＤＰＣ）符号化情報信号、および／または同様のもの）を含み得る。更に他の例示的実施形態では、ネイティブフォーマット化ＧＮＳＳ  ＳＡ情報信号は、全部または一部が、対応するフォーマット修正ＧＮＳＳ  ＳＡ情報信号に含まれない可能性のあるタイムマーク情報信号を含み得る。例えば蛇行符号化を使用すると各データビットは、各ビット周期の中間で遷移する少なくとも１つの遷移を有し、また（送信されるべき情報に依存して）この周期の冒頭にも同様に１つの遷移を含み得る。ここで例えば中間ビット遷移の方向はデータを示し得るが、周期の境界における遷移は中間ビット遷移をサポートするように信号を正しい状態に置くために使用され得る。蛇行符号化は、非限定的例としてマンチェスタ（Manchester）符号化又は位相符号化を含み得る、および／またはそうでなければマンチェスタ符号化または位相符号化と呼ばれ得る。
【００２１】
ある幾つかの実施形態では、一方法は、例えば前に受信された、および／または推定されたＧＮＳＳ信号に少なくともある程度基づいてネイティブフォーマット化ＧＮＳＳ  ＳＡ情報信号を確立することを含み得る。ある幾つかの実施形態では一方法は、例えば受信および／または推定されたＧＮＳＳ信号および／または確立されたネイティブフォーマット化ＧＮＳＳ  ＳＡ情報信号に少なくともある程度基づいてフォーマット修正ＧＮＳＳ  ＳＡ情報信号を確立することを含み得る。
【００２２】
ある幾つかの例示的実施形態では一方法は、位置探索サーバを有すること、またはＰＤＤＭの供与要素（provide element）でフォーマット修正ＧＮＳＳ  ＳＡ情報信号を送信する他の同様なデバイスを有すること、を含み得る。ここで例えばこのようなＰＤＤＭは、移動局によって要請された後に位置探索サーバまたは他の同様なデバイスによって送信され得る。しかしながらある幾つかの実施形態ではこのようなＰＤＤＭは、位置探索サーバまたは他の同様なデバイスによって移動局に「要請されないで（unsolicited）」送信され得る。要請されたときある幾つかの例示的方法は、したがってまた移動局によって送信された少なくとも１つの要請（soliciting）ＰＤＤＭを受信することを含み得る。要請ＰＤＤＭは、例えばネイティブまたはフォーマット修正いずれかのＧＮＳＳ  ＳＡ情報信号を受信するために移動局による要望を識別するインジケータ信号を含む要求要素信号（request element signals）を含み得る。ＰＤＤＭは、例えば選択されたＧＮＳＳリソースを識別するインジケータ信号を含む供与または要求要素信号を含み得る。
【００２３】
例として、選択されたＧＮＳＳリソースは、ＧＰＳリソース、ＳＢＡＳリソース、ＱＺＳＳリソース、ＧＬＯＮＡＳＳリソース、Ｇａｌｉｌｅｏリソース、Ｃｏｍｐａｓｓ／ＢｅｉＤｏｕリソース、および／または同様なもの、のうちの少なくとも１つを含む少なくとも１つのＧＮＳＳリソースに関連し得る。ある幾つかの例示的実施形態ではＧＮＳＳリソースは、１つ以上の特定のＧＮＳＳ信号および／または信号帯域、１つ以上の特定のＳＰＳ信号、１つ以上のＳＶ、および／または同様なもの、に関連する可能性がある。
【００２４】
またこれに続くセクションに更に詳細に説明されるようにある幾つかの例示的態様によれば、方法および装置は、例えば位置決定プロセスの一部として位置探索サーバからのＳＡ情報を受信またはそうでなければ利用することを可能にされ得る移動局に実現され得る。
【００２５】
例えば、移動局によって例えば少なくとも１つのＰＤＤＭを介して送信されるような１つ以上のフォーマット修正ＧＮＳＳ  ＳＡ情報信号を通信リンク上で位置探索サーバから受信することを含む方法が実現され得る。ある幾つかの実施形態では移動局は、フォーマット修正ＧＮＳＳ  ＳＡ情報信号を使用して、例えばＳＰＳおよび／またはＧＮＳＳ信号を捕捉するのを支援するためにＳＰＳおよび／またはＧＮＳＳ受信機によって使用され得るフォーマット修正ＧＮＳＳ  ＳＡ情報信号の少なくとも一部を使用して、位置決定プロセスをサポートすることを可能にされ得る。
【００２６】
他の実施形態では移動局は、対応するネイティブフォーマット化ＧＮＳＳ  ＳＡ情報信号の少なくとも一部を確立し得る。したがって例えば一方法は、１つ以上のフォーマット修正ＧＮＳＳ  ＳＡ情報信号に対応する１つ以上のネイティブフォーマット化ＧＮＳＳ  ＳＡ情報信号を確立することを含み得る。ここで例えば一方法は、受信されたフォーマット修正ＧＮＳＳ  ＳＡ情報信号の少なくとも一部に対応するネイティブフォーマット化ＧＮＳＳ  ＳＡ情報信号の少なくとも一部を確立することを含み得る。ある幾つかの実施形態ではネイティブフォーマット化ＧＮＳＳ  ＳＡ情報信号の少なくとも一部は、例えばもしタイムマーク情報信号が、対応するフォーマット修正ＧＮＳＳ  ＳＡ情報信号に含まれない可能性があれば、少なくとも１つの基準タイム信号に少なくともある程度基づく可能性がある。他の例ではネイティブフォーマット化ＧＮＳＳ  ＳＡ情報信号の符号化された部分は、このような信号が受信されたフォーマット修正ＧＮＳＳ  ＳＡ情報信号に含まれなければ、確立されることが可能である。
【００２７】
一方法はまた、例えばネイティブまたはフォーマット修正いずれかのＧＮＳＳ  ＳＡ情報信号を要求する位置探索サーバに少なくとも１つの要請ＰＤＤＭを送信することを含み得る。
【００２８】
ある幾つかの例示的実施形態ではＰＤＤＭ内の一要素は、電気通信工業協会（ＴＩＡ）「ＩＳ−８０１−Ｂ」位置決めプロトコル規格および／または関連する第３世代パートナーシッププロジェクト２（３ＧＰＰ２）位置決めプロトコル規格に準拠する、および／またはそうでなければこれらの規格によって動作する要求要素（request element）および／または供与要素（provide element）を含み得る。
【００２９】
位置決めプロトコルは、例えばＣＤＭＡ２０００および高速パケットデータ（ＨＲＰＤ）無線通信ネットワークにおける使用のために開発され、規格化されてきた。１つの例示的位置決めプロトコルはしばしば、それの規格化識別情報によってＴＩＡ発行規格における「ＩＳ−８０１」（または３ＧＰＰ２発行規格における「Ｃ．Ｓ００２２」と呼ばれる。現在、この例示的位置決めプロトコルの２つのバージョンが存在する。第１のバージョンはここでＩＳ−８０１−１と単純に呼ばれる最初のバージョンＩＳ−８０１バ―ジョン１（またはＣ．Ｓ００２２−０バージョン３．０）である。第２のバージョンはここでＩＳ−８０１−Ａと単純に呼ばれるＩＳ−８０１バージョンＡ（またはＣ．Ｓ００２２−Ａバージョン１．０）である。
【００３０】
ＩＳ−８０１−Ａといった既存のプロトコルにはネイティブフォーマット化ＧＰＳ感度支援情報を共用するためのあるサポートが存在する。他のＳＰＳ（例えばＧＰＳ）の高い利用可能性を仮定すると、ＩＳ−８０１−Ｂ、および／または複数の異なるＧＮＳＳおよび／または異なるタイプ／フォーマットのＧＮＳＳ感度支援情報をサポートし得る他の位置決めプロトコルバージョン、といったより高度の／健全な位置決めプロトコルバージョンを開発することが有益であり得るということは、本説明のある幾つかの態様にしたがっている。更に、ある幾つかのこのような可能性のある種々のタイプの感度支援情報が効率的な方法で要求および／または供与され得る通信チャネル／リンク上で位置決定通信セッションを種々の可能なデバイスが開始して確立することを可能にするために必要に応じて位置決めプロトコルバージョン・ネゴシエーション・プロセス（positioning protocol version negotiation processes）が無線ネットワーク内で使用され得ることも認められる。
【００３１】
限定ではなく例としてここで提供されるある幾つかの方法および装置は、ＩＳ−８０１−Ｂをサポートするばかりでなくレガシーバージョンおよび／または将来バージョンもサポートする方法で１つ以上のトランスポート（輸送）メッセージで与えられ得る１つ以上のＰＤＤＭを使用し得る。なお更にある幾つかの方法および装置は、例えばウルトラモバイルブロードバンド（Ultra Mobile Broadband）（UMB）ネットワーク、高速パケットデータ（ＨＲＰＤ）ネットワーク、ＣＤＭＡ２０００  １Ｘネットワーク、および／または同様なもの、といった種々の無線通信ネットワークにおいて位置決定プロセスをサポートすることを可能にされ得る。
【００３２】
本説明のある幾つかの態様によれば、位置決定プロセスをサポートする１つ以上のデバイスに実現され得る種々の方法および装置が提供される。限定ではなく例として一デバイスは、移動局、またはある特定の装置、例えば基地局、位置探索サーバ（例えば位置決定エンティティ（Position Determination Entity）（ＰＤＥ）、サービス移動位置探索センタ（Serving Mobile Location Center）（ＳＭＬＣ）、ゲートウェイ移動位置探索センタ（Gateway Mobile Location Center）（ＧＭＬＣ）、スタンドアロンＡＧＰＳ  ＳＭＬＣ（ＳＡＳ）、ＳＵＰＬ位置探索プラットホーム（SUPL Location Platform）（ＳＬＰ）など）および／または同様なもの、といったある特定の装置を含み得る。例えばある幾つかの実施形態では移動局および基地局は、ＣＤＭＡ無線通信ネットワークおよび／または他の適用可能なタイプの無線通信ネットワーク内で通信することを動作的に可能にされ得る。
【００３３】
方法および装置は、このようなデバイスが位置決定プロセスに関連する位置決定通信セッションを利用することを可能にするためにこのようなデバイスに実現され得る。位置決定通信セッションは、関連するデバイスの能力に依存してネゴシエートされた位置決めプロトコルバージョンを利用できる。したがってこれらの方法および装置は、ネットワーク内の種々の位置決めプロトコルバージョンを可能にするように実現され得る。これらの方法および装置は例えば、あるネットワーク内において種々の位置決めプロトコルバージョン間の逆方向および／または順方向適合性を可能にする、またはそうでなければサポートすることを可能にされ得る。
【００３４】
下記の詳細な説明では、請求されている主題の完全な理解を与えるために多数の特定の詳細事項が説明される。しかしながら、請求されている主題がこれらの特定の詳細事項なしに実施され得ることは当分野に精通する人々によって理解されるであろう。他の事例では、陶業者によって知られている方法および装置は、特許請求されている主題を不明確にしないように詳細には説明されていない。
【００３５】
以下の詳細な説明のある部分は、ある特定の装置または専用コンピューティングデバイスまたはプラットホームのメモリ内に記憶されたアルゴリズムの観点から、または２進ディジタル信号への動作のシンボル的表現の観点から、提示されている。この特定の明細書に関連して用語：特定の装置、専用コンピューティングデバイスまたはプラットホームなどは、いったんコンピュータがプログラムソフトウエアからの命令に応じた特定の機能を実行するようにプログラムされた場合の汎用コンピュータを含む。アルゴリズム的説明またはシンボル的表現は、当業者によって自分の仕事の他の当業者に伝達するために信号処理または関連技術において使用される技法の例である。アルゴリズムは、ここで、また一般に所望の結果につながる首尾一貫した一連の動作または同様の信号処理であると考えられる。この状況において動作または処理は、物理量の物理的操作を含む。必ずしもそうではないが典型的にはこのような量は、記憶され、転送され、結合され、比較され、またはそうでなければ操作されることが可能である電気または磁気信号の形を取り得る。このような信号をビット、データ、値、要素、シンボル、文字、項、番号、数字、情報などと呼ぶことは、主として共通的使用という理由からしばしば好都合であることが分かっている。しかしながら、これらまたは同様の用語のすべてが適当な物理量に関連付けられるべきであって単に便利なラベルであることは理解されるべきである。ほかに特に説明されなければ下記の論議から明らかなように、本明細書全体に亘って「処理すること」、「コンピューティング」、「計算すること」、「決定すること」、「確立すること」、などといった用語を利用する論議は、専用コンピュータ、または同様の専用エレクトロニック・コンピューティング・デバイスといった特定の装置の動作またはプロセスを指す。したがって本明細書に関連して専用コンピュータまたは同様の専用エレクトロニック・コンピューティング・デバイスは、典型的にはメモリ、レジスタまたは他の情報記憶デバイス、伝送デバイス、または専用コンピュータまたは同様の専用エレクトロニック・コンピューティング・デバイスの表示デバイス内の電子的または磁気的物理量として表現された信号を操作または変換することができる。この特定の特許出願書に関連して用語「特定の装置」は、いったんコンピュータがプログラムソフトウエアからの命令に応じて特定の機能を実行するようにプログラムされた場合の汎用コンピュータを含み得る。
【００３６】
さて、デバイスが互いに通信すること、および位置決定プロセスを開始および／またはそうでなければサポートすることを可能にされ得る例示的無線通信ネットワーク環境１００を示す概略ブロック図である図１に注意が向けられる。
【００３７】
この特定の例において無線通信ネットワーク環境１００は、移動局（ＭＳ）１０２、１つ以上の基地局（単数または複数）（ＢＳ）１０４、１つ以上の衛星測位システム（単数または複数）（ＳＰＳ）１０６、ネットワーク１０８、および位置探索サーバ１１０といった代表的デバイスを含む。ＭＳ１０２は、１つ以上の無線通信リンク上でＢＳ１０４と通信することを可能にされ得る。ＭＳ１０２、ＢＳ１０４または位置探索サーバ１１０のうちの１つ以上は、ＳＰＳの種々の送信リソースによって送信されたＳＰＳ信号を捕捉することを可能にされ得る、および／またはそうでなければＳＰＳ１０６を介して利用可能な情報に関連するある幾つかの位置決定プロセスをサポートすることを可能にされ得る。
【００３８】
図１の代表的デバイスは無線通信リンクまたは有線通信リンクいずれかによって接続されているように示されているが、ある幾つかの例示的実施形態ではこれらのデバイスの少なくとも一部が１つ以上の有線、ファイバおよび／または無線通信リンク（単数または複数）を介して互いに接続され得ることは理解されるべきである。
【００３９】
ほかに特に説明されなければ個々で使用されているように用語「位置探索サーバ」は、１つ以上のデバイス、および／または少なくともある程度このような位置決定プロセスをサポートすることを可能にされた１つ以上の特定の装置、を表すように意図されている。したがってネットワーク１０８および／またはＢＳ１０４を介してＭＳ１０２と通信し得る図１に示されている例では別のデバイスとして図示されているが、他の実施形態では「位置探索サーバ」が１つ以上の有線および／または１つ以上の無線通信リンクを使用して直接及び／または間接的にＭＳ１０２と通信することを可能され得ることは理解されるべきである。したがってある幾つかの例示的実施形態では、位置探索サーバは、１つ以上の無線送信機、受信機、トランシーバ、１つ以上の基地局、種々の有線および／または無線通信ネットワークリソース、特定の装置として使用可能にされた１つ以上のコンピューティングデバイス、および／または他の同様なコンピューティングおよび／または通信デバイス、の形を取り得る、および／またはこれらのデバイスを動作的に備え得る。この点を考慮に入れて、基地局（ＢＳ）またはＢＳ１０４に例示的参照が行われた場合、このようなＢＳおよび／またはＢＳ１０４がここで広く定義されているような「位置探索サーバ」を備え得ることは理解されるべきである。したがって用語：基地局（ＢＳ）および位置探索サーバは相互交換可能に使用される。なお更に、ＢＳ機能などを要求および／または供与するメッセージにおいて、このような要求された情報および／または供与された情報が位置探索サーバ機能などに関連し得ることは理解されるべきである。
【００４０】
ＭＳ１０２および／またはＢＳ１０４は、例えば無線ワイド・エリア・ネットワーク（ＷＷＡＮ）、無線ローカル・エリア・ネットワーク（ＷＬＡＮ）、無線パーソナル・エリア・ネットワーク（ＷＰＡＮ）などといった種々の無線ネットワークの使用を介して機能性を提供することを可能にされ得る。用語「ネットワーク」および「システム」は、しばしば相互交換可能に使用される。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、単一搬送波周波数分割多元接続（ＳＣ−ＦＤＭＡ）ネットワークなどであり得る。ＣＤＭＡネットワークは、ＣＤＭＡ２０００、広帯域ＣＤＭＡ（Ｗ−ＣＤＭＡ）などといった１つ以上の無線アクセス技術（ＲＡＴ）を実現し得る。ＣＤＭＡ２０００は、ＩＳ−９５、ＩＳ−２０００およびＩＳ−８５６規格を含む。ＴＤＭＡは、通信用グローバルシステム（ＧＭＳ）、ディジタル・アドバンスド・フォン（ディジタル高度電話）システム（ＤＡＭＰＳ）、または他のあるＲＡＴを実現し得る。ＧＳＭ（登録商標）およびＷ−ＣＤＭＡは、「第３世代パートナーシッププロジェクト」（３ＧＰＰ）と名付けられた共同事業体（コンソーシアム）からの文書に記載されている。ＣＤＭＡ２０００は、「第３世代パートナーシッププロジェクト２」（３ＧＰＰ２）と名付けられた共同事業体（コンソーシアム）からの文書に記載されている。３ＧＰＰおよび３ＧＰＰ２文書は、公に入手可能である。ＷＬＡＮは、ＩＥＥＥ８０２．１１ｘネットワークである可能性があり、またＷＰＡＮは、ブルートゥース（Ｂｌｕｅｔｏｏｔｈ（登録商標））ネットワーク、ＩＥＥＥ８０２．１５ｘネットワーク、またはある他のタイプのネットワークであり得る。これらの技法は、ＷＷＬＡＮ、ＷＬＡＮおよび／またはＷＰＡＮの任意の組合せのためにも使用され得る。前述のようにこれらの技法は、ＵＭＢネットワーク、ＨＲＰＤネットワーク、ＣＤＭＡ２０００  １Ｘネットワーク、ＧＳＭ、３ＧＰＰ  Ｌｏｎｇ  Ｔｅｒｍ  Ｅｖｏｌｕｔｉｏｎ（ＬＴＥ）および／または同様のものによる使用のために実施され得る。無線通信ネットワークは、例えば無線アクセスポイントおよびフェムトセルを含み得る。
【００４１】
ＳＰＳ１０６は例えば、全地球測位システム（ＧＰＳ）、最新式ＧＰＳ、Ｇａｌｉｌｅｏ、ＧＬＯＮＡＳＳ、衛星ベース増強（Satellite Based Augmentation）システム（ＳＢＡＳ）、準天頂（Quasi-Zenith）衛星システム（ＱＺＳＳ）、インド地方ナビゲーション衛星システム（ＩＲＮＳＳ）、Ｃｏｍｐａｓｓ／ＢｅｉＤｏｕ、ＮＡＶＳＴＡＲ、および／または他の同様なＧＮＳＳ、これらのシステムの組合せからの衛星を使用するシステム、または各々がここでは一般に「衛星測位システム」（ＳＰＳ）と呼ばれる将来開発される任意のＳＰＳ、のうちの１つ以上を含み得る。
【００４２】
更にここで説明された方法および装置は、擬似衛星（シュードライト(pseudolites)）または衛星と擬似衛星との組合せを利用する位置決定プロセスよって使用され得る。擬似衛星は、ＰＮコード、またはＳＰＳ時間と同期させられ得るＬ帯域（または他の周波数）のキャリア信号上で変調された他の測距コード（ranging code）（例えばＧＰＳまたはＣＤＭＡセルラー信号に類似した）、を放送する地上送信機を含み得る。このような送信機各々は、遠隔受信機による識別を可能にするように一意のＰＮコードを割り当てられ得る。擬似衛星は、例えば軌道上の衛星からのある幾つかのＳＰＳ信号が例えばトンネル内、坑道内、ビルディング内、ビルの谷間または他の囲み込まれた領域内といった場所で利用できない可能性のある状況で、ＳＰＳを増強するために使用され得る。擬似衛星のもう１つの実施形態は、ラジオビーコン（無線標識）として知られている。ここで使用されているような用語「衛星」は、擬似衛星、擬似衛星の同等物およびおそらく他のものを含むように意図されている。ここで使用されているような用語「ＳＰＳ信号」は、擬似衛星または擬似衛星の同等物からのＳＰＳ様の信号を含むように意図されている。
【００４３】
ある幾つかの例示的実施形態ではＭＳ１０２は、セルラーまたは他の無線通信デバイス、パーソナル通信システム（ＰＣＳ）デバイス、パーソナル・ナビゲーション・デバイス、乗り物搭載ナビゲーション・デバイス、追跡デバイス、パーソナル情報マネージャ（ＰＩＭ）、パーソナル・ディジタル・アシスタント（ＰＤＡ）、ラップトップ、または無線通信を受信し得る他の適当なデバイス、といったデバイスを含み得る。
【００４４】
ここで説明される方法は、用途に依存して種々の手段によって実現され得る。例えばこれらの方法は、ハードウエア、ファームウエアおよび／またはソフトウエアの種々の組合せに実現され得る。ハードウエア実現に関して１つ以上の処理ユニットは、１つ以上の特定用途向け集積回路（ＡＳＩＣ）、信号プロセッサ／ディジタル信号プロセッサ（ＤＳＰ）、ディジタル信号処理デバイス（ＤＳＰＤ）、プログラマブル論理デバイス（ＰＬＤ）、フィールド・プログラマブル・ゲートアレイ（ＦＰＧＡ）、プロセッサ、コントローラ、マイクロコントローラ、マイクロプロセッサ、電子デバイス、ここで説明された機能を実現するようにデザインされた他の電子ユニット、またはこれらの組合せ、に実現され得る。
【００４５】
ファームウエアおよび／またはソフトウエア実現に関してある幾つかの実施形態は、ここで説明される機能を実行するモジュール（例えば手順、機能など）によって実現され得る。ここで説明される方法を実現する際には、命令を明確に具体化する任意の機械可読媒体が使用され得る。例えばソフトウエアコードは、ＭＳ１０２および／またはＢＳ１０４のメモリに記憶されることが可能であり、またデバイスの処理ユニットによって実行され得る。メモリは、処理ユニットの内部および／または処理ユニットの外部で実現され得る。ここで使用されているように用語「メモリ」は、任意のタイプの長期、短期、揮発性、不揮発性または他のメモリを指し、また如何なる特定のタイプのメモリにも、如何なる特定の数のメモリにも、またはメモリが記憶される如何なる特定のタイプの媒体にも、限定されるべきではない。
【００４６】
もしハードウエア／ソフトウエアに実現されるのであれば、方法または方法の一部分を実現する機能は、コンピュータ可読媒体上において１つ以上の命令またはコードとして記憶および／または伝送され得る。コンピュータ可読媒体は、１つの場所から他の場所へのコンピュータプログラムの転送を容易にする任意の媒体を含むコンピュータ記憶媒体および／または通信媒体を含み得る。記憶媒体は、コンピュータまたは同様のデバイスによってアクセスされ得る任意の利用可能な媒体であり得る。限定ではなく例としてコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または命令またはデータ構造体の形をした所望のプログラムコードを保持または記憶するために使用され得る、そしてコンピュータによってアクセスされ得る他の任意の媒体を備え得る。
【００４７】
ここで呼ばれるような命令／コードは、１つ以上の論理演算を表す式に関する。例えば命令は、１つ以上のデータオブジェクトに１つ以上の演算を実行するために機械によって解釈され得ることによって「機械可読」であり得る。しかしながらこれは単に命令の一例であって、請求されている主題はこの点に限定されない。もう１つの例ではここで呼ばれている命令は、符号化されたコマンドを含むコマンドセットを有する処理ユニットによって実行可能である符号化されたコマンドに関連し得る。このような命令は、処理ユニットによって理解される機械言語の形に符号化され得る。再びこれらは命令の単なる例であって、請求されている主題はこの点に限定されない。
【００４８】
今度は、位置決定プロセスを開始および／またはそうでなければサポートすることを可能にされた特定の装置２００のある幾つかの例示的特長を示す概略ブロック図である図２に参照が行われる。装置２００は例えば、ここで説明される例示的技法の少なくとも一部を実行またはそうでなければサポートするためにＭＳ１０２、ＢＳ１０４、位置探索サーバ１１０内に、および／または適用可能であれば同様の他のデバイス内に、ある形で実現され得る。
【００４９】
装置２００は例えば、１つ以上の処理ユニット２０２、メモリ２０４、トランシーバ２１０（例えば無線ネットワークインタフェース）、および（適用可能であれば）１つ以上の接続部２０６（例えばバス、ライン、ファイバ、リンクなど）と動作的に接続され得るＳＰＳ受信機２４０を含み得る。ある幾つかの例示的実施形態では装置２００の全部または一部はチップセットおよび／または同様のものの形を取り得る。
【００５０】
処理ユニット２０２は、ハードウエアとソフトウエアとの組合せを使用して実現され得る。このようにして例えば処理ユニット２０２は、デバイス２００の動作に関連するディジタル信号コンピューティング手順またはプロセスの少なくとも一部を実行するために構成可能な１つ以上の回路を表現し得る。限定ではなく例として処理ユニット２０２は、１つ以上のプロセッサ、コントローラ、マイクロプロセッサ、マイクロコントローラ、特定用途向け集積回路、ディジタル信号プロセッサ、プログラマブル論理デバイス、フィールド・プログラマブル・ゲートアレイなど、またはこれらの任意の組合せを含み得る。
【００５１】
メモリ２０４は、任意のデータ記憶機構を表現し得る。メモリ２０４は例えば、一次メモリおよび／または二次メモリ（secondaey memory）を含み得る。一次メモリは例えば、ランダム・アクセス・メモリ、リード・オンリー・メモリなどを含み得る。この例では処理ユニット２０２とは別であるように示されながら、一次メモリの全部または一部が処理ユニット２０２の中に設けられ得る、および／またはそうでなければ処理ユニット２０２と協同設置され／接続され得ることは理解されるべきである。二次メモリは例えば、一次メモリと同じまたは類似のタイプのメモリを、および／または例えばディスクドライブ、光ディスクドライブ、テープドライブ、固体メモリドライブなどといった１つ以上のデータ記憶デバイスまたはシステムを、含み得る。
【００５２】
ある幾つかの実施形態では二次メモリは、コンピュータ可読媒体２２０を動作的に受け入れ得る、またはそうでなければコンピュータ可読媒体２２０に接続するように構成可能であり得る。そのようなものとしてある幾つかの例示的実施形態では、ここに提示された方法および／または装置は、少なくとも１つの処理ユニット２０２によって実行される場合にここで説明されているように例示的動作の全部または一部を実行することを動作的に可能にされ得る、媒体２２０に記憶されたコンピュータ実施可能命令２０８を含み得るコンピュータ可読媒体２２０の全体または一部の形を取り得る。コンピュータ可読媒体２２０はメモリ２０４の一部であり得る。
【００５３】
図２に示されているようにメモリ２０４はまた、少なくとも１つの位置決めプロトコルバージョン２３０、要求関連（request-related）ＰＤＤＭ２３２、供与関連（provide-related）ＰＤＤＭ２３４、フォーマット修正ＧＮＳＳ  ＳＡ情報２３６、および（任意選択的に）ネイティブＧＮＳＳ  ＳＡ情報２３８に関連するデータ信号の形をした命令および／または情報を含み得る。
【００５４】
したがって例えば、もし装置２００が位置探索サーバ１１０（図１）に実現されるならば、ＧＮＳＳ  ＳＡ情報の全部または一部もまたＳＰＳ受信機２４０を介して受信されるＳＰＳ信号に少なくともある程度基づいて推定され、および／またはそうでなければ導き出され得る。装置２００は、例えばＧＮＳＳリソースが送信するものに適合するようにフォーマット化されたナビゲーション情報を有するネイティブフォーマットにＧＮＳＳ  ＳＡ情報の少なくとも一部をフォーマット化することを可能にされ得る。装置２００は、例えばＧＮＳＳリソースが送信するものに適合しないようにフォーマット化されたナビゲーション情報信号および／または他の情報信号を有する修正されたフォーマットにＧＮＳＳ  ＳＡ情報の少なくとも一部をフォーマット化することを可能にされ得る。更に下記により詳細に説明されるように、ある幾つかの実施形態ではフォーマット修正ＧＮＳＳ  ＳＡ情報信号は、対応するネイティブフォーマット化ＧＮＳＳ  ＳＡ情報信号の一部である情報信号のある幾つかの部分を含まない可能性がある。このようにして装置２００は、種々のフォーマットの、および／またはある幾つかの選択された情報信号を持つ／持たないＧＮＳＳ  ＳＡ情報信号を確立することを可能にされ得る。ここで例えば装置２００は、このような選択的にフォーマット化されたＧＮＳＳ  ＳＡ情報信号を１つ以上のＰＤＤＭ（単数または複数）を使用して移動局に送信できる。
【００５５】
もし装置２００が例えばＭＳ１０２（図１）に実現されるならば、ＳＰＳ受信機２４０は、１つ以上のＳＰＳリソースに関連する信号を受信することを、また特に位置探索サーバから受信されたようなＧＮＳＳ  ＳＡ情報信号に少なくともある程度基づいてある幾つかのＧＮＳＳ信号を捕捉することを、可能にされ得る。ある幾つかの実施形態では例えばＳＰＳ受信機２４０および／または処理ユニット２０２は、ＧＮＳＳ  ＳＡ情報信号、しかしながら更なる大幅な処理をせずにフォーマット化された（例えばネイティブまたは修正フォーマットの）ＧＮＳＳ  ＳＡ情報信号の少なくとも一部を使用することを可能にされ得る。他の実施形態では例えば、ＳＰＳ受信機２４０および／または処理ユニット２０２は、使用に先立ってある方法でフォーマット修正ＧＮＳＳ  ＳＡ情報信号の少なくとも一部を処理することを可能にされ得る。例えば装置２００は、受信されたフォーマット修正ＧＮＳＳ  ＳＡ情報信号に少なくともある程度基づいて、対応するネイティブフォーマット化ＧＮＳＳ  ＳＡ情報信号を確立することを可能にされ得る。これとは反対に例えば、装置２００は、受信されたネイティブフォーマット化ＧＮＳＳ  ＳＡ情報信号に少なくともある程度基づいて、対応するフォーマット修正ＧＮＳＳ  ＳＡ情報信号を確立することを可能にされ得る。
【００５６】
トランシーバ２１０は例えば、１つ以上の無線通信リンク上で１つ以上の信号を送信することを可能にされた送信機２１２と１つ以上の通信リンク上で送信された１つ以上の信号を受信するための受信機２１４とを含み得る。ある幾つかの実施形態ではトランシーバ２１０はまた、例えばＢＳ１０４、位置探索サーバ１１０および／または他の同様なデバイス内に実現されたときに有線の送信および／または受信をサポートできる。
【００５７】
次に、位置決定プロセスをサポートするために、また特にＧＮＳＳ  ＳＡ情報信号を要求し、また供与する際にデバイスをサポートするために無線通信ネットワークに実現され得る例示的方法を示す流れ図３００である図３に注意が向けられる。
【００５８】
ブロック３０２で位置探索サーバおよび／または他の同様なデバイスは、ＳＰＳ（例えばＧＮＳＳ）信号を受信し得る。ここで例えばよく知られているように、ＧＮＳＳ信号は、ナビゲーション情報信号とネイティブフォーマットでＳＰＳによって送信されたような他の情報信号とを含み得る。
【００５９】
ブロック３０４で位置探索サーバおよび／または他の同様なデバイスは、（適用可能であれば）例えば受信されたＧＮＳＳ信号に少なくともある程度基づいて、ネイティブフォーマット化ＧＮＳＳ  ＳＡ情報信号を確立（例えば予測（predict））し得る。この確立されたネイティブフォーマット化ＧＮＳＳ  ＳＡ情報信号は例えば、将来のある時点において位置探索サーバおよび／または移動局によって受信されることが予期され得るように、ネイティブフォーマットのナビゲーション情報信号を少なくともある程度含み得る。このようなＧＮＳＳ  ＳＡ情報信号を予測するための技法は、よく知られている。例えばＧＰＳ  ＳＡ情報信号を予測し、それから例えばＳＰＳ／ＧＮＳＳ受信機の感度を大幅に高め得る変調除去（wipe-off）技法を使用して実際のＧＰＳ信号（単数または複数）を捕捉するためにこのような情報信号を使用し得る移動局にこのような信号を供与することは公知である。
【００６０】
ブロック３０６で位置探索サーバおよび／または他の同様なデバイスは、（適用可能であれば）例えば受信されたＧＮＳＳ信号に少なくともある程度基づいて、フォーマット修正ＧＮＳＳ  ＳＡ情報信号を確立し得る。破線矢印３０５によって示されているようにある幾つかの例示的実施形態では、確立されたネイティブフォーマット化ＧＮＳＳ  ＳＡ情報信号（例えばブロック３０４で確立されたような）の全部または一部は対応するフォーマット修正ＧＮＳＳ  ＳＡ情報信号を確立するためにある方法でアクセスされ処理され得る（例えば再フォーマット化、復号、符号化などされ得る）、および／またはこれとは反対に、確立されたフォーマット修正ＧＮＳＳ  ＳＡ情報信号（例えばブロック３０６で確立されたような）の全部または一部は対応するネイティブフォーマット化ＧＮＳＳ  ＳＡ情報信号（例えばブロック３０４における）を確立するためにある方法でアクセスされ処理され得る（例えば再フォーマット化、復号。符号化などされ得る）。
【００６１】
限定ではなく例としてある幾つかの実施形態では、１つ以上のネイティブフォーマット化ＧＮＳＳ  ＳＡ情報信号はプリアンブル情報信号を含み得るが、１つ以上の対応するフォーマット修正ＧＮＳＳ  ＳＡ情報信号はこのようなプリアンブル情報信号を含まない可能性がある。ある幾つかの実施形態では、１つ以上のネイティブフォーマット化ＧＮＳＳ  ＳＡ情報信号は符号化された情報信号を含み得るが、１つ以上の対応するフォーマット修正ＧＮＳＳ  ＳＡ情報信号はこのような符号化された情報信号を含まない可能性がある。ある幾つかの例示的実施形態では、１つ以上のネイティブフォーマット化ＧＮＳＳ  ＳＡ情報信号はタイムマーク情報信号を含み得るが、１つ以上の対応するフォーマット修正ＧＮＳＳ  ＳＡ情報信号はこのようなタイムマーク情報信号を含まない可能性がある。ある幾つかの例示的実施形態ではこのようなタイムマーク情報信号はまた、他のプリアンブルビット／シンボル、同期シンボル／ビット、および／または同様のもの含み得る、および／またはそうでなければ、これらのものの形を取り得る。
【００６２】
ブロック３０８で移動局は、位置探索サーバおよび／または同様のデバイスからある幾つかのＧＮＳＳ  ＳＡ情報信号を要求する１つ以上のメッセージ（例えばＰＤＤＭ）を送信し得る。これら１つ以上のメッセージは例えば、１つ以上の要求要素信号（request element signals）を含み得る。これら１つ以上の要求要素信号は例えば、１つ以上の修正またはネイティブフォーマット化ＧＮＳＳ  ＳＡ情報信号が要求されていることを識別する１つ以上のフォーマットインジケータ信号を含み得る。ある幾つかの例示的実施形態では要求要素信号は、要求されているＧＮＳＳ  ＳＡ情報信号が１つ以上の選択されたＧＮＳＳリソースに関連付けられるべきであることを識別するインジケータ信号を含み得る。限定ではなく例として１つ以上の修正またはネイティブフォーマット化ＧＮＳＳ  ＳＡ情報信号は、ＧＰＳリソース、ＳＢＡＳリソース、ＱＺＳＳリソース、ＧＬＯＮＡＳＳリソース、Ｇａｌｉｌｅｏリソース、Ｃｏｍｐａｓｓ／ＢｅｉＤｏｕリソース、および／または他の同様なＳＰＳ／ＧＮＳＳリソースといった少なくとも１つのＧＮＳＳリソースに関連付けられ得る。ある幾つかの例示的実施形態では、特定のＧＮＳＳ信号、ＧＮＳＳ信号帯域、ＳＰＳ信号、ＳＶ、および／または同様なものは１つ以上のインジケータ信号を使用して識別され得る。
【００６３】
ブロック３１０で位置探索サーバおよび／または他の同様なデバイスは、フォーマット修正またはネイティブフォーマット化ＧＮＳＳ  ＳＡ情報信号に関する移動局の要求を受信し得る。
【００６４】
ブロック３１２で位置探索サーバは、１つ以上の修正またはネイティブフォーマット化ＧＮＳＳ  ＳＡ情報信号を移動局に送信できる。ある幾つかの例示的実施形態では位置探索サーバは、１つ以上の修正またはネイティブフォーマット化ＧＮＳＳ  ＳＡ情報信号を、供与要素を有する要請されたＰＤＤＭで移動局に送信できる。ここで例えば要請されたＰＤＤＭは、ブロック３１０における要求の受信に応じて移動局に送信され得る。ある幾つかの他の例示的実施形態では位置探索サーバは、１つ以上の修正またはネイティブフォーマット化ＧＮＳＳ  ＳＡ情報信号を無要請の（unsolicited）、または後続のＰＤＤＭで移動局に送信できる。
【００６５】
ブロック３１４で移動局は、ある幾つかのＧＮＳＳ信号を捕捉するのを支援するために、受信されたフォーマット修正またはネイティブフォーマット化ＧＮＳＳ  ＳＡ情報信号の少なくとも一部を使用できる。例えば前述のように、また公知のように、ＧＮＳＳ  ＳＡ情報信号内のＧＮＳＳナビゲーション情報信号の少なくとも一部はＧＮＳＳ信号を受信して捕捉する際の変調除去のために使用され得る。このような変調除去機能は、例えば移動局が、より迅速な信号捕捉を体験すること、より弱い信号を捕捉すること、および／または雑音の多い／限定された環境で信号を捕捉すること、を可能にし得る。
【００６６】
ブロック３１６で、もし移動局がフォーマット修正ＧＮＳＳ  ＳＡ情報信号を受信すれば、この移動局はこのフォーマット修正ＧＮＳＳ  ＳＡ情報信号に少なくともある程度基づいてネイティブフォーマット化ＧＮＳＳ  ＳＡ情報信号を確立し得る。この確立されたネイティブフォーマット化ＧＮＳＳ  ＳＡ情報信号は、それからブロック３１４で使用され得る。例えばある幾つかのフォーマット修正ＧＮＳＳ  ＳＡ情報信号は、対応するネイティブフォーマット化ＧＮＳＳ  ＳＡ情報信号を移動局に伝達することに適用され得る付随する通信および／または処理機能を軽減し得る。ある幾つかの実施形態では移動局内のＳＰＳ受信機および／または処理ユニット（単数または複数）はフォーマット修正ＧＮＳＳ  ＳＡ情報信号を直接使用することを可能にされることが可能であり、したがってブロック３１６は適用可能でないこともあり得る。
【００６７】
次に、ＧＮＳＳ  ＳＡ情報信号を要求するために１つ以上のＰＤＤＭ（単数または複数）に含まれ得るある例示的情報を示す表１（下記）に注意が向けられる。
【表１】
0005591803.tif 000002
【００６８】
表１に示されているようにある幾つかの例示的実施形態によれば一要素は、感度支援要求（sensitivity assistance request）が適用可能である「時間基準源（time reference source）」によって指定された時間基準に基づいて時刻を（例えば秒で）指定する感度支援時間（time of sensitivity assistance）（ＴｏＳＡ）値を含み得る。ここで例えば移動局は、「基準ビット」の時間を表すようにこの値を設定し得るが、この基準ビットは対応する応答要素（response element）に含まれた無線ナビゲーション・データ・メッセージ（over-the-air navigation data message）ビット／シンボルの最初の半分の最後のビットであり得る。
【００６９】
表１に示されているように時間基準源要素は、ＴｏＳＡのために使用される時間基準のタイプを示すために移動局のために用意され得る。例としてある幾つかの実施形態では、「０」値はＣＤＭＡ時間基準を表し、「１」値はＧＰＳ時間基準を表し、「２」値はＱＺＳＳ時間基準を表し、「３」値はＧＬＯＮＡＳＳ時間基準を表し、「４」値はＧａｌｉｌｅｏ時間基準を表し、そして「５」値はＣｏｍｐａｓｓ／ＢｅｉＤｏｕ時間基準を表し得る、などである。ある幾つかの実施形態では時間基準源値は、例えば不在であれば「時間基準源」はＣＤＭＡ時間基準であると考えられ得る。
【００７０】
表１に示されているようにＧＮＳＳ情報要求要素はＧＮＳＳ  ＳＡ情報信号が要求されるＧＮＳＳを識別するために含まれ、使用され得る。例として表２（下記）は、選択された例示的ＧＮＳＳにマッピングするある幾つかの例示的ＧＮＳＳ識別子値を示す。この例では、「１」という値はＧＰＳにマッピングし、「２」という値はＳＢＡＳにマッピングし、「３」という値はＱＺＳＳにマッピングし、「４」という値はＧＬＯＮＡＳＳにマッピングし、「５」という値はＧａｌｉｌｅｏにマッピングし、「６」という値はＣｏｍｐａｓｓ／ＢｅｉＤｏｕにマッピングし、そして値「７」から「１６」は他のＧＮＳＳにマッピングし得る。
【表２】
0005591803.tif 000003
【００７１】
ある幾つかの実施形態ではＧＮＳＳ信号識別子要素は、ＳＡ情報信号が要求されている「ＧＮＳＳ識別子」によって識別されたＧＮＳＳに関するＧＮＳＳ信号を識別するために含まれ、使用され得る。ある幾つかの例示的ＧＮＳＳ信号へのＧＮＳＳ信号識別子の例示的マッピングが表２に示されている。この要素は、ある実施形態では任意選択的であり得、したがって例えばもし不在であれば位置探索サーバまたは他の同様なデバイスは、例えば表２にしたがって整数値「１」に対応するＧＮＳＳ信号を選択することを可能にされ得る。
【００７２】
表１によれば選択（Choice）ＳＶ情報要素が含まれ得る。ここで例えば、もし位置探索サーバまたは他の同様なデバイスが前の「ＧＮＳＳ情報要求」要素におけるものと同じＳＶ情報を使用すべきであれば、移動局はこのフィールドを削除し得、そうでなければ移動局はこの要素に関する値を含み得る。
【００７３】
表１に提示されているようにすべての衛星要素に関するＳＡは、例えばもしこの選択が存在すれば位置探索サーバまたは他の同様なデバイスがＧＮＳＳ識別子によって識別された一群のすべての衛星に関するＧＮＳＳ  ＳＡ情報信号を含み得るように含まれ得る。
【００７４】
表１に示されているように、指定された衛星要素に関するＳＡは、例えばもしこの選択が存在すれば位置探索サーバまたは他の同様なデバイスが「ＧＮＳＳ識別子」によって識別された一群の衛星に関する「衛星ビットマスク」によって識別されるこれらの衛星に関するＧＮＳＳ  ＳＡ情報信号を含み得るように、含まれ得る。例として移動局は、表３（下記）に示されているように衛星ビットマスクに、ある幾つかのビットを設定できる。ある幾つかの実施形態ではこのような要素は可変長であり得る。
【表３】
0005591803.tif 000004
【００７５】
更に表１に示されているように、要求されたデータ・レコード・サイズ要素（data record size element）は、例えばもしこれがこの「ＧＮＳＳ情報要求」要素にリストアップされた最初の要求データ・レコード・サイズであれば、移動局がこの要素を含み得るように、そうでなければ移動局がこの要素を下記のように設定し得るように、含まれ得る。もし位置探索サーバが前の「ＧＮＳＳ情報要求」要素におけるものと同じ要求データ・レコード・サイズを使用すべきであれば、移動局はこの要素を削除でき、そうでなければ移動局はこの要素を含むことができ、そして位置探索サーバが対応する応答（供与）要素に含むべきである感度支援データレコードの要求された最小サイズにこの要素を設定できる。
【００７６】
また表１に示されているように要求ナビゲーションビット符号化インジケータまたは他の同様の要素は、ＧＮＳＳ  ＳＡ情報信号のネイティブフォーマット化または修正フォーマット化が要求されているかどうかを示すために含まれ得る。例えばある幾つかの実施形態では移動局はこのフィールドを、もしネイティブフォーマットが要求されていればＴＲＵＥ（「１」）に、もし修正フォーマットが要求されていればＦＡＬＳＥ（「０」）に設定し得る。したがって例えばある幾つかの実施形態では、ネイティブフォーマット化ＧＮＳＳ  ＳＡ情報信号はネイティブ無線フォーマットのＧＮＳＳ  ＳＡナビゲーションメッセージシンボルを含み、フォーマット修正ＧＮＳＳ  ＳＡ情報信号は例えばプリアンブルビットも同期ビットも持たない、または蛇行、畳み込み、または他の符号化も持たない、および／または対応するネイティブフォーマット化ＧＮＳＳ  ＳＡ情報信号に含まれ得る（適用可能であれば）タイムマーク・ビットを持たない、非チャネル符号化ナビゲーション・データ・ビットを含み得る。
【００７７】
表４（下記）は、一実施形態にしたがって位置決定プロセスの一部として１つ以上の供与感度支援情報メッセージ（単数または複数）に含まれ得るある例示的情報を示す。
【表４】
0005591803.tif 000005
【００７８】
表４に示されているように例えば、位置探索サーバまたは他の同様なデバイスがＧＮＳＳ感度支援データのパート番号（part number）を指定し得るパート番号要素が含まれることが可能であり、ＧＮＳＳ感度支援データが分割されるパートの全数を位置探索サーバまたは他の同様なデバイスが指定し得るパート要素の全数が含まれ得る。
【００７９】
表４に示されている例によれば、ＴｏＳＡ要素および時間基準源要素が含まれ得る。更に表４に示されているように、ＧＮＳＳ  ＳＡデータレコードは、例えばＧＮＳＳ識別子要素と要求ＧＮＳＳ信号データレコード要素とを使用して含まれ得る。要求ＧＮＳＳ信号データレコード要素は、ＧＮＳＳ信号識別子要素と、適用可能であればナビゲーションビット符号化インジケータ要素とを含み得る。更に要求ＧＮＳＳ信号データレコード要素はまた、ネイティブまたは修正フォーマットのＧＮＳＳ  ＳＡ情報信号（例えばここではナビゲーション・メッセージ・ビット）も含み得る。更にＳＶ  ＩＤ情報および／またはＧＮＳＳ衛星ＩＤ番号情報要素が含まれ得る。
【００８０】
こうしてＰＤＤＭ内の要求および供与要素を使用することによって移動局および位置探索サーバは、ＧＮＳＳ  ＳＡ情報信号を使用して支援された位置決定プロセスをサポートすることを可能にされ得る。ある幾つかの例では例えば、ＩＳ−８０１−Ｂ準拠の無線ネットワークにおいて位置探索サーバは１つ以上の応答ＰＤＤＭ内の「供与ＧＮＳＳ感度支援」応答要素を、例えばこの応答要素が分割され得るパートの数にしたがって（要請されて、または要請されないで）供与し得る。ある幾つかの実施形態では位置探索サーバは、「パートの総数」を同じ「供与ＧＮＳＳ感度支援」メッセージのすべてのパート内の同じ値に設定し得る。位置探索サーバは、「感度支援の時間」を、応答要素内の「ナビゲーション・メッセージ・ビット」から導き出されたネイティブ無線ナビゲーション・メッセージ・ビットの最初の半分の最後のビットの時間に設定し得る。
【００８１】
位置探索サーバは、移動局によって送信された「要求ＧＮＳＳ感度支援」要求要素に含まれ得る要求「ＧＮＳＳ識別子」および／または「ＧＮＳＳ信号識別子」ごとにＧＮＳＳ  ＳＡ情報信号を供与し得る。もし「要求ＧＮＳＳ信号データレコード」が含まれていなければ、あるいはもし「要求ＧＮＳＳ信号データレコード」が含まれていて「ＧＮＳＳ信号識別子」が含まれていなければ、位置探索サーバは要求された「ＧＮＳＳ識別子」および「ＧＮＳＳ信号識別子」＝「１」ごとにＧＮＳＳ感度支援を供与し得る。
【００８２】
もし「ＳＶ情報」要素が「ＧＮＳＳ情報要求」要素に含まれていなければ、位置探索サーバは、同じ「要求ＧＮＳＳ感度支援」要求要素に含まれた前の「ＧＮＳＳ情報要求」要素に含まれているものと同じ「ＳＶ情報」を使用し得る。
【００８３】
もし「要求データ・レコード・サイズ」が「ＧＮＳＳ情報要求」要素に含まれていなければ、位置探索サーバは、同じ「要求ＧＮＳＳ感度支援」要求要素に含まれた前の「ＧＮＳＳ情報要求」要素に含まれているものと同じ「要求データ・レコード・サイズ」を使用し得る。
【００８４】
もし「要求データ・レコード・サイズ」が含まれていれば、位置探索サーバは、「ナビゲーション・ビット・メッセージ」の長さを「要求ＧＮＳＳ感度支援」要求要素に含まれた「要求データ・レコード・サイズ」要素の値より大きく、またはこの値に等しく設定し得る。
【００８５】
もし「要求ナビゲーションビット符号化インジケータ」がＴＲＵＥ（「１」）に設定されていれば、位置探索サーバはネイティブ無線フォーマットのＧＮＳＳ  ＳＡ情報信号（例えばＳＡナビゲーションメッセージシンボル）を含み得る。もし「要求ナビゲーションビット符号化インジケータ」がＦＡＬＳＥ（「０」）に設定されていれば、位置探索サーバは例えば、もし可能であれば、プリアンブルビットを持たない、また蛇行（meander）、畳み込み、または他の符号化を持たない、および／またはタイムマーク情報シンボルを持たない、非チャネル符号化フォーマットのＧＮＳＳ  ＳＡ情報信号（例えばＳＡナビゲーション・メッセージ・ビット）を含み得る。
【００８６】
次に、ネイティブフォーマット化ＧＮＳＳ  ＳＡ情報信号４０２が例えば、プリアンブル情報信号４０４、タイムマーク情報信号４０６および／または符号化情報信号４０８のうちの１つ以上を含み得ることを示す図４に参照が行われる。対応するフォーマット修正ＧＮＳＳ  ＳＡ情報信号４２０は、例えば、プリアンブル情報信号４０４、タイムマーク情報信号４０６および／または符号化情報信号４０８のうちの１つ以上を含まないこともあり得るが、フォーマット修正ＧＮＳＳ  ＳＡナビゲーション情報信号４２４を含み得る。
【００８７】
次に、例えばＧＬＯＮＡＳＳに関連していて、長さ５０２＝２００シンボルを表すために拡張された列Ｓ１４、Ｓ５およびＳ１１を有する列（Ｓ１〜Ｓ１５）によって表される例示的ネイティブフォーマット化ＧＮＳＳ  ＳＡ情報信号５００を示す図５に注意が向けられる。またスパン（span）５０４＝７８シンボル、スパン５０６＝１０２シンボル、スパン５０８＝８２シンボル、基準時間５１０＝９．０２秒（例えば２０ｍｓ単位で４５１）、各々が１１８０シンボルに関連するナビゲーションビット部５１２および５１４も示されている。ここでＳＡ情報信号は多数の列に亘ってネイティブビットを含むことが可能であり、シンボル数は列内に蛇行符号化データビットとタイムマークとを含み得る。
【００８８】
次に、長さ６０２＝１７０シンボルを表すために拡張された列Ｓ１４、Ｓ５およびＳ１１を有する列（Ｓ１〜Ｓ１５）によって表された例示的フォーマット修正ＧＮＳＳ（ここではＧＬＯＮＡＳＳ）ＳＡ情報信号６００を示す図６部に注意が向けられる。またスパン６０４＝４８シンボル、スパン６０６＝１０２シンボル、スパン６０８＝８２シンボル、基準時間６１０＝９．０２秒（例えば２０ｍｓ単位で４５１）、各々が１０００シンボルに関連するナビゲーションビット部６１２および６１４も示されている。
【００８９】
ここで例えば、ＳＡ情報信号は多数の列に亘って別個に符号化されたシンボルを含み得る。この例ではナビゲーションビット部６１２および６１４は、ハミングコード（hamming code）および蛇行符号化を有するがタイムマーク６０５を持たないナビゲーション情報ビットを含み得る。限定ではなく例として、対応するネイティブフォーマット化ＧＮＳＳナビゲーションビットの再構築のためのプロセス（例えば移動局による）は、下記の１０ｍｓシンボル：
【数１】
0005591803.tif 000006
【００９０】
の最後尾に３０個のタイムマークシンボルを付加することを含み得る。
【００９１】
次に、長さ７０２＝データの７７ビット・プラス・ハミングコードの８ビットを表すために拡張されたＳ１４、Ｓ５およびＳ１１を有する列（Ｓ１〜Ｓ１５）によって表された他の例示的フォーマット修正ＧＮＳＳ（ここではＧＬＯＮＡＳＳ）ＳＡ情報信号７００を示す図７に注意が向けられる。またスパン７０４＝２４ビット、スパン７０６＝５１シンボル、スパン７０８＝４１ビット、基準時間７１０＝９．０２秒（例えば２０ｍｓ単位で４５１）、各々が５００シンボルに関連するナビゲーションビット部７１２および７１４も示されている。
【００９２】
ここで例えばナビゲーションビット部７１２および７１４は、列内にハミングコードを有するが蛇行符号化およびタイムマーク６０５を持たない５０Ｈｚ情報ビットだけを計数する多数の列に亘って別個に符号化されたビットを含み得る。限定ではなく例として、対応するネイティブフォーマット化ＧＮＳＳナビゲーションビットの再構築のためのプロセス（例えば移動局による）は、データビットが１０ｍｓ単位で「０」に関しては「０１」および「１」に関しては「１０」であるように受信データビットに蛇行符号化を付加することと、下記の１０ｍｓビット：
【数２】
0005591803.tif 000007
【００９３】
の最後尾に３０個のタイムマークシンボルを付加することと、を含み得る。
【００９４】
このようにして例示的実施形態、図４〜７に示されているように、ある幾つかのネイティブフォーマット化ＧＮＳＳ  ＳＡ情報信号において表されたデータビットの総数は、ある幾つかの対応するフォーマット修正ＧＮＳＳ  ＳＡ情報信号において大幅に削減され得る。
【００９５】
図８は、ある幾つかの実施形態にしたがってＧＮＳＳ  ＳＡ情報信号を使用する位置決定プロセスを開始および／またはそうでなければサポートすることを可能にされた移動局（ＭＳ）と位置探索サーバとの間の種々の例示的ＰＤＤＭ交換を示す流れ図である。ここで例えば位置決定プロセス８００は、所望の位置決めプロトコルバージョンを使用して確立された位置決定通信セッションを開始しながら、および／または位置決定通信セッションの開始に追従する間に、可能にされ得る。限定ではなく例としてこの例では、所望の位置決めプロトコルバージョンは、位置探索サーバおよび移動局ＭＳの両者がＩＳ−８０１−Ｂ準拠であるので、ＩＳ−８０１−Ｂに準拠し得る。ここではしたがって通信セッションは、ＰＤ ＭＳＧ ＴＹＰＥ＝「００００００１０」の受け入れを介してネゴシエートされ（negotiated）得る（この例ではＩＳ−８０１−Ｂに関連して）。
【００９６】
位置決定プロセス８００では例えばＭＳは、ある位置決定関連情報／要素を要求および／または供与するために１つ以上のメッセージ（単数または複数）８０２（例えばＰＤＤＭおよび／またはトランスポートメッセージ）を位置探索サーバに送信し得る。限定ではなく例として、ＩＳ−８０１−Ｂの一部としてメッセージ（単数または複数）８０２は、要求高度ＢＳ機能メッセージ（Request Advanced BS Capabilities message）、要求ＧＮＳＳ捕捉支援メッセージ（Request GNSS Acquisition Assistance message）、無要請供与パイロット位相測定メッセージ（unsolicited Provide Pilot Phase Measurement message）、無要請供与高度ＭＳ情報メッセージ（unsolicited Provide Advanced MS Information message）、および無要請供与高度システムパラメータ情報メッセージ（unsolicited Provide Advanced System Parameters Information message）を含み得る。
【００９７】
この時点で位置決定プロセス８００では例えば、ＭＳはすべての目視可能な基地局からパイロット位相を測定し、供与パイロット位相測定メッセージを介してこのような測定値を位置探索サーバに送信し得る。更にＭＳは、供与高度ＭＳ情報メッセージ（Provide Advanced MS Information message）（例えばＭＳの所望の位置決定機能を示す）と任意選択的に供与高度システムパラメータ情報メッセージとを送信できる。ＭＳは、要求高度ＢＳ機能メッセージと要求ＧＮＳＳ捕捉支援メッセージとを送信できる。
【００９８】
位置決定プロセス８００では例えば位置探索サーバは、ある位置決定関連情報／要素を供与するために１つ以上のメッセージ（単数または複数）８０４（例えばＰＤＤＭおよび／またはトランスポートメッセージ）をＭＳに送信できる。限定ではなく例として、ＩＳ−８０１−Ｂの一部としてメッセージ（単数または複数）８０４は、供与高度ＢＳ機能メッセージと供与ＧＮＳＳ捕捉支援メッセージとを含み得る。そのようなものとして例えばこの時点で位置決定プロセス８００では、供与されたパイロット位相測定値を使用して位置探索サーバは、ＭＳの事前位置を推定できる。この位置はプレフィックスと呼ばれ得る。このプレフィックスに基づいて位置探索サーバは目視可能ＳＶに関する１つ以上の探索ウィンドウを決定でき、また供与ＧＮＳＳ捕捉支援メッセージを介してこのような情報をＭＳに送信できる。
【００９９】
また位置決定プロセス８００によって示されているように例えばＭＳは、前に示されたようなネイティブまたは修正フォーマットいずれかにおける要求ＧＮＳＳ感度支援メッセージといったＩＳ−８０１−Ｂメッセージ（単数または複数）８０６の一部として１つ以上のメッセージ（単数または複数）８０６（例えばＰＤＤＭおよび／またはトランスポートメッセージ）を位置探索サーバに送信できる。例えばＭＳは、ＧＮＳＳ感度支援（ＳＡ）がＧＮＳＳ  ＳＶからの弱い信号を検出する際に有用であり得ることを決定でき、またそのようなものとしてこのようなＳＡ情報を位置探索サーバから要求できる。図示のように位置探索サーバは、供与ＧＮＳＳ感度支援メッセージといった１つ以上のメッセージ（単数または複数）８０８をＭＳに送信することによって応答し得る。ここでＧＮＳＳ  ＳＡ情報信号は、要求されたようにネイティブまたは修正フォーマットになっていることがあり得る。したがって例えばＭＳはそれから、擬似距離の測定を続行し、そしておそらくはパイロット位相を再測定するために、位置探索サーバから受信されたＧＮＳＳ  ＳＡ情報を使用しようと試み得る。
【０１００】
位置決定プロセス８００によって示されているように例えばＭＳは、要求高度位置探索応答メッセージ（Request Advanced Location Response message）、無要請供与パイロット位相測定メッセージ（unsolicited Provide Pilot Phase Measurement message）、無要請供与タイムオフセット測定メッセージ（unsolicited Provide Time Offset Measurement message）、および無要請供与ＧＮＳＳ擬似距離測定メッセージ（unsolicited Provide GNSS Pseudorange Measurement message）といったＩＳ−８０１−Ｂメッセージ（単数または複数）８１０の一部として１つ以上のメッセージ（単数または複数）８１０（例えばＰＤＤＭおよび／またはトランスポートメッセージ）を位置探索サーバに送信できる。例えば擬似距離測定データは、供与ＧＮＳＳ擬似距離測定メッセージを介して位置探索サーバに送信され得る。ＭＳはまた、供与パイロット位相測定メッセージを介して目視可能基地局から再びパイロット位相測定データを供与し得る。供与タイムオフセット測定メッセージは、例えばもしキャリアが１Ｘであれば、含まれ得る。このような測定値と共に要求位置探索応答メッセージは、位置探索サーバに送信され得る。
【０１０１】
この例に示されているように位置探索サーバは、ある位置決定関連情報／要素を供与するために１つ以上のメッセージ（単数または複数）８１２をＭＳに送信できる。限定ではなく例として、ＩＳ−８０１−Ｂの一部としてメッセージ（単数または複数）８１２は、供与高度位置探索応答メッセージ（Provide Advanced Location Response message）を含み得る。したがって例えばこの時点で位置決定プロセス８００において、ＭＳの最終的位置はメッセージ８１０からの受信された測定値を使用して位置探索サーバによって決定されることが可能であり、最終位置情報は、コールフロー（call flow）を完了させるためにＭＳに送信され得る。例えばメッセージ（単数または複数）８１４を送信する際のＭＳの応答によって示されているようにＭＳは、セッションを終了させるために設定されたセッション終了フラグ（例えばここではセッション終了フラグ＝１）を含む無要請供与高度ＭＳ情報メッセージを送信できる。
【０１０２】
例示的実施形態において説明されたようにここで、位置探索サーバおよび／または他の同様なデバイスが移動局に送信するデータ情報の量を減らすように修正フォーマットが実現され得るネイティブフォーマットまたは修正フォーマットのＧＮＳＳ  ＳＡ情報を共用するための要求／応答機構が提供され得る。このような要求機構は、ネイティブフォーマットまたは修正フォーマットいずれかのＳＶのリストの任意のサイズのＧＮＳＳおよびＧＮＳＳ信号（例えばＧＰＳ  Ｌ１  Ｃ／ＡまたはＧＬＯＮＡＳＳ  Ｇ１）の任意の組合せからＧＮＳＳ  ＳＡ情報（例えばＧＮＳＳ  ＳＡを示す情報）を移動局（例えば携帯電話、スマートフォンまたは任意の無線デバイス）が要求することを可能にし得る。ある幾つかの実施形態では応答機構は、位置探索サーバおよび／または他の同様なデバイスが、要求されたような、または要請されていないようなＧＮＳＳ  ＳＡ情報を移動局に送信することを可能にする。ある幾つかの例示的実施形態ではネイティブフォーマット化（例えば無線）ナビゲーション・メッセージ・ビット（ＳＶから送信され得るような）は、元の情報ビットを処理することによって、例えばＣＲＣパリティチェック・ビットを含むことによって、プリアンブル畳み込み符号化情報ビット、蛇行符号化情報ビットを含むことによって、および／または他の適用可能なプロセスを実行することによって、作り出され得る。フォーマット修正ナビゲーション・メッセージ・ビットは、情報ビットによって表されることが可能であり、例えばプリアンブル、畳み込み符号化または蛇行符号化、あるタイミング情報、および／または同様のものを付加されていないＣＲＣパリティチェックまたはハミング・コード・ビットを含み得る。移動局は例えば、所望され得るようにフォーマット修正ビットなどにプリアンブル、畳み込みまたは蛇行符号化を適用することによってネイティブフォーマット化無線ナビゲーション・メッセージ・ビットを再構築し得る。
【０１０３】
ＧＮＳＳ  ＳＡ情報信号は、ＧＰＳ、ＧＬＯＮＡＳＳ、Ｇａｌｉｌｅｏ、Ｃｏｍｐａｓｓ／ＢｅｉＤｏｕ、ＱＺＳＳ、ＳＢＡＳなどといったＧＮＳＳに関するデータ変調除去を可能にする。この特徴によってＳＰＳ／ＧＮＳＳ受信機の感度は、例えば数デシベルだけ改善され得る。
【０１０４】
ある幾つかの例示的ＧＮＳＳ  ＳＡ要求および応答メッセージは、ＧＮＳＳ  ＳＡ情報信号を共用する際の使用に関して説明されてきた。限定ではなく例として、プリアンブルを使用し、またネイティブフォーマット化情報信号に蛇行コードまたは畳み込み符号化を使用するＧＮＳＳに関して、対応するフォーマット修正情報信号は、プリアンブルを含まない、および／またはこのような蛇行または畳み込み符号化などを含まない可能性がある。しかしながら例えば移動局は、変調除去のためにネイティブフォーマット化ナビゲーション・メッセージ・ビットを再構築し得る。
【０１０５】
衛星測位システム（ＳＰＳ）は典型的には、送信機から受信された信号に少なくともある程度基づいて地球上の、または地球上空の自分の位置をエンティティが決定することを可能にするように位置決めされた送信機のシステムを含む。このような送信機は典型的には、ある設定された数のチップの擬似ランダムノイズ（ＰＮ）コードでマーク付けられた信号を送信し、また地上の制御局、ユーザ装置および／または宇宙船に配置され得る。ある特定の例ではこのような送信機は、地球軌道宇宙船（ＳＶ）上に配置され得る。例えば全地球測位システム（ＧＰＳ）、Ｇａｌｉｌｅｏ、ＧｌｏｎａｓｓまたはＣｏｍｐａｓｓといったグローバルナビゲーション衛星システム（ＧＮＳＳ）の星座内の１つのＳＶは、この星座内の他のＳＶによって送信されたＰＮコードとは区別可能であるＰＮコードでマーク付けされた信号を送信し得る（例えばＧＰＳにおけるように各衛星に関して異なるＰＮコードを使用して、またはＧｌｏｎａｓｓにおけるように異なる周波数上で同じコードを使用して）。ある幾つかの態様によればここに提示された技法は、ＳＰＳに関するグローバルシステム（例えばＧＮＳＳ）に限定されない。例えばここに提示された技法は、例えば日本上空の準天頂衛星システム（ＱＺＳＳ）、インド上空のインド地方ナビゲーション衛星システム（ＩＲＮＳＳ）、中国上空のＢｅｉｄｏｕなどといった種々の地方システム、および／または１つ以上の地球的および／または地域的ナビゲーション衛星システムに関連し得る、またはそうでなければこれらのシステムでの使用のために使用可能にされ得る種々の増強システム（例えば衛星ベース増強システム（ＳＢＡＳ））に適用され得る、またはそうでなければこれらのシステムにおける使用のために可能にされ得る。限定ではなく例としてＳＢＡＳは、例えば広域増強システム（ＷＡＡＳ）、ヨーロッパ地球静止ナビゲーション・オーバーレイ・サービス（ＥＧＮＯＳ）、多機能衛星増強システム（Multi-functional Satellite Augmentation system）（ＭＳＡＳ）、ＧＰＳ支援地球増強ナビゲーションまたはＧＰＳおよび地球増強ナビゲーションシステム（ＧＡＧＡＮ）および／または同様のものといった完全性情報、微分補正（differential corrections）などを与える増強（augmentation）システム（単数または複数）を含み得る。したがってここで使用されているようにＳＰＳは、１つ以上の地球的および／または地域的ナビゲーション衛星システムおよび／または増強システムの任意の組合せを含むことが可能であり、またＳＰＳ信号はＳＰＳ、ＳＰＳ様および／またはこのような１つ以上のＳＰＳに関連する他の信号を含み得る。
【０１０６】
ここで使用されているように移動局（ＭＳ）は、セルラーまたは他の無線通信デバイス、パーソナル通信システム（ＰＣＳ）デバイス、パーソナル・ナビゲーション・デバイス（ＰＮＤ）、パーソナル情報マネージャ（ＰＩＭ）、パーソナル・ディジタル・アシスタント（ＰＤＡ）、ラップトップまたは無線通信および／またはナビゲーション信号を受信できる他の適当な移動機といったデバイスを指す。用語「移動局」はまた、衛星信号受信、支援データ受信および／または位置関連処理がデバイスにおいて、またはＰＮＤにおいて行われるかどうかには関係なく、短距離の無線、赤外線、有線接続または他の接続によるようにパーソナル・ナビゲーション・デバイス（ＰＮＤ）と通信するデバイスを含むようにも意図されている。また「移動局」は、インターネット、ＷｉＦｉ、フェムトセル、または他のネットワークを介してといったことによって、また衛星信号受信、支援データ受信および／または位置関連処理がデバイスにおいて、サーバにおいて、またはネットワークに関連するもう１つのデバイスにおいて、行われるかどうかには関係なく、サーバと通信できる無線通信デバイス、コンピュータ、ラップトップなどを含むすべてのデバイスを含むように意図されている。上記のものの任意の動作可能な組合せも「移動局と考えられる。
【０１０７】
もしファームウエアおよび／またはソフトウエアに実現されるならばこれらの機能は、コンピュータ可読媒体に１つ以上の命令またはコードとして記憶され得る。例は、データ構造体で符号化されたコンピュータ可読媒体とコンピュータプログラムで符号化されたコンピュータ可読媒体とを含む。コンピュータ可読媒体は、物理的コンピュータ記憶媒体を含む。記憶媒体は、コンピュータによってアクセスされ得る如何なる利用可能な媒体でもあり得る。限定ではなく例としてこのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、または命令またはデータ構造体の形をした所望のプログラムコードを記憶するために使用されることが可能であって、コンピュータによってアクセスされ得る他の任意の媒体を備え得る。ここで使用されるようなディスク（ｄｉｓｋ）およびディスク（ｄｉｓｃ）はコンパクトディスク（ＣＤ）、レーザーディスク（登録商標）、光ディスク、ディジタル・バーサタイル・ディスク（ＤＶＤ）、フロッピー（登録商標）ディスクおよびブルーレイディスクを含んでおり、ｄｉｓｋは通常、データを磁気的に再生するが、ｄｉｓｃはデータをレーザーで光学的に再生する。上記のものの組合せもコンピュータ可読媒体の範囲内に含まれるべきである。
【０１０８】
コンピュータ可読媒体上での記憶に加えて命令および／またはデータは、通信装置に含まれた伝送媒体上の信号として供与され得る。例えば通信装置は、命令とデータとを表す信号を有するトランシーバを含み得る。これらの命令およびデータは、請求項に概説されている機能を実現することを１つ以上の処理ユニットに行わせるように構成される。すなわち通信装置は、開示された機能を実行するための情報を表す信号を有する伝送媒体を含む。第１に、通信装置に含まれた伝送媒体は開示された機能を実行するための情報の第１の部分を含み得るが、第２に、通信装置に含まれた伝送媒体は開示された機能を実行するための情報の第２の部分を含み得る。
【０１０９】
現在例示的特徴であると考えられるものが図解され、説明されてきたが、特許請求されている主題から逸脱せずに種々の他の修正が行われ得ること、および同等物が代用され得ることは、当分野に精通する人々によって理解されるであろう。更にここで説明された中心的な考えから逸脱せずに特許請求されている主題の教示に対して、ある特定の状況に適応するために多くの修正が行われ得る。
【０１１０】
したがって請求されている主題は開示されたこれら特定の例に限定されず、またこのような請求されている主題は添付の請求項およびこれらの同等物の範囲に入るすべての態様も含み得ることが、意図され得る。
以下、本願の出願当初の特許請求の範囲に記載の発明を付記する。  
［１］  １つ以上のフォーマット修正グローバルナビゲーション衛星システム（ＧＮＳＳ）感度支援（ＳＡ）情報信号を通信リンク上で、位置探索支援を供与することを動作的に可能にされた位置探索サーバから移動局に送信することを備える、無線通信ネットワークにおける使用のための方法。
［２］  前記１つ以上のフォーマット修正ＧＮＳＳ  ＳＡ情報信号は選択されたＧＮＳＳリソースに関連する１つ以上の対応するネイティブフォーマット化ＧＮＳＳ  ＳＡ情報信号の一部を表す、［１］に記載の方法。
［３］  前記１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［２］に記載の方法。
［４］  前記１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［２］に記載の方法。
［５］  前記１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［２］に記載の方法。
［６］  前記１つ以上のフォーマット修正ＧＮＳＳ  ＳＡ情報信号を確立することを更に備える、［１］に記載の方法。
［７］  前記１つ以上のフォーマット修正ＧＮＳＳ  ＳＡ情報信号は少なくとも１つの位置決定データメッセージ（ＰＤＤＭ）を介して送信される、［１］に記載の方法。
［８］  前記少なくとも１つのＰＤＤＭの供与要素において前記１つ以上のフォーマット修正ＧＮＳＳ  ＳＡ情報信号を送信することを更に備える、［７］に記載の方法。
［９］  要請されていない前記少なくとも１つのＰＤＤＭを送信することを更に備える、［７］に記載の方法。
［１０］  少なくとも１つの要請ＰＤＤＭを前記移動局から受信する前記位置探索サーバに応じて前記１つ以上のフォーマット修正ＧＮＳＳ  ＳＡ情報信号を送信することを更に備え，前記少なくとも１つの要請ＰＤＤＭは要求要素信号を備える、［７］に記載の方法。
［１１］  前記要求要素信号は前記１つ以上のフォーマット修正ＧＮＳＳ  ＳＡ情報信号を識別するインジケータ信号を備える、［１０］に記載の方法。
［１２］  前記要求要素信号は選択されたＧＮＳＳリソースを識別するインジケータ信号を備える、［１０］に記載の方法。
［１３］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［１］に記載の方法。
［１４］  前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、［１］に記載の方法。
［１５］  移動局によって、
位置探索支援を前記移動局に供与することを動作的に可能にされた位置探索サーバから１つ以上のフォーマット修正グローバルナビゲーション衛星システム（ＧＮＳＳ）感度支援（ＳＡ）情報信号を通信リンク上で受信することと、
前記１つ以上のフォーマット修正ＧＮＳＳ  ＳＡ情報信号にある程度基づいて、少なくとも１つのＧＮＳＳ信号を捕捉しようと試みることと、
を備える、無線通信ネットワークにおける使用のための方法。
［１６］  前記１つ以上のフォーマット修正ＧＮＳＳ  ＳＡ情報信号は選択されたＧＮＳＳリソースに関連する１つ以上の対応するネイティブフォーマット化ＧＮＳＳ  ＳＡ情報信号の一部を表す、［１５］に記載の方法。
［１７］  前記１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［１６］に記載の方法。
［１８］  前記１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［１６］に記載の方法。
［１９］  前記１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［１６］に記載の方法。
［２０］  前記１つ以上のネイティブフォーマット化ＧＮＳＳ  ＳＡ情報信号の少なくとも一部に少なくともある程度基づいて、前記受信された１つ以上のフォーマット修正ＧＮＳＳ  ＳＡ情報信号に対応する１つ以上のネイティブフォーマット化ＧＮＳＳ  ＳＡ情報信号を確立することを更に備える、［１５］に記載の方法。
［２１］  少なくとも１つの基準タイム信号に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号を確立することを更に備える、［２０］に記載の方法。
［２２］  前記１つ以上のフォーマット修正ＧＮＳＳ  ＳＡ情報信号の少なくとも一部に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号内に少なくとも１つの符号化された情報信号を確立することを更に備える、［２０］に記載の方法。
［２３］  前記１つ以上のフォーマット修正ＧＮＳＳ  ＳＡ情報信号は少なくとも１つの位置決定データメッセージ（ＰＤＤＭ）を介して受信される、［１５］に記載の方法。
［２４］  前記少なくとも１つのＰＤＤＭの供与要素において前記１つ以上のフォーマット修正ＧＮＳＳ  ＳＡ情報信号を受信することを更に備える、［２３］に記載の方法。
［２５］  少なくとも１つの要請ＰＤＤＭを前記移動局から前記位置探索サーバに送信することを更に備え、前記少なくとも１つの要請ＰＤＤＭは要求要素信号を備える、［２３］に記載の方法。
［２６］  前記要求要素信号は前記１つ以上のフォーマット修正ＧＮＳＳ  ＳＡ情報信号を識別するインジケータ信号を備える、［２５］に記載の方法。
［２７］  前記要求要素信号は選択されたＧＮＳＳリソースを識別するインジケータ信号を備える、［２５］に記載の方法。
［２８］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［１５］に記載の方法。
［２９］  前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、［１５］に記載の方法。
［３０］  移動局によって、
少なくとも１つのメッセージを表す１つ以上の信号を通信リンク上で、位置探索支援を前記移動局に供与することを動作的に可能にされた位置探索サーバに送信することを備え、前記少なくとも１つのメッセージは修正されたフォーマットの１つ以上のグローバルナビゲーション衛星システム（ＧＮＳＳ）感度支援（ＳＡ）情報信号を選択的に要求する少なくとも１つのフォーマットインジケータを備える、無線通信ネットワークにおける使用のための方法。
［３１］  前記修正フォーマットになっているときに前記１つ以上のＧＮＳＳ  ＳＡ情報信号はネイティブフォーマットの前記１つ以上のＧＮＳＳ  ＳＡ情報信号の一部を表す、［３０］に記載の方法。
［３２］  前記修正フォーマットになっているときに前記１つ以上のＧＮＳＳ  ＳＡ情報信号はプリアンブル情報信号、符号化情報信号、および／またはタイムマーク情報信号のうちの少なくとも１つを備えない、［３０］に記載の方法。
［３３］  前記少なくとも１つのメッセージは選択されたＧＮＳＳリソースを識別するインジケータを備える、［３０］に記載の方法。
［３４］  前記１つ以上のＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［３０］に記載の方法。
［３５］  前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、［３０］に記載の方法。
［３６］  無線通信ネットワーク内で位置探索支援を移動局に供与する際の使用のための装置であって、
１つ以上のフォーマット修正グローバルナビゲーション衛星システム（ＧＮＳＳ）感度支援（ＳＡ）情報信号を確立するための手段と、
少なくとも１つのメッセージを介して前記１つ以上の修正フォーマットＧＮＳＳ  ＳＡ情報信号を前記移動局に送信するための手段と、
を備える装置。
［３７］  前記１つ以上のフォーマット修正ＧＮＳＳ  ＳＡ情報信号は選択されたＧＮＳＳリソースに関連する１つ以上の対応するネイティブフォーマット化ＧＮＳＳ  ＳＡ情報信号の一部を表す、［３６］に記載の装置。
［３８］  前記１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［３７］に記載の装置。
［３９］  前記１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［３７］に記載の装置。
［４０］  前記１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［３７］に記載の装置。
［４１］  前記１つ以上のネイティブフォーマット化ＧＮＳＳ  ＳＡ情報信号に少なくともある程度基づいて、前記１つ以上のフォーマット修正ＧＮＳＳ  ＳＡ情報信号を確立するための手段を更に備える、［３７］に記載の装置。
［４２］  前記１つ以上のフォーマット修正ＧＮＳＳ  ＳＡ情報信号および／または選択されたＧＮＳＳリソースのうちの少なくとも１つを識別する要求要素信号を備える少なくとも１つの要請メッセージを前記移動局から受信するための手段を更に備える、［３６］に記載の装置。
［４３］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［３６］に記載の装置。
［４４］  無線通信ネットワーク内で位置探索支援を受信することを動作的に可能にされた移動局における使用のための装置であって、
１つ以上のフォーマット修正グローバルナビゲーション衛星システム（ＧＮＳＳ）感度支援（ＳＡ）情報信号を備える少なくとも１つのメッセージを位置探索サーバから受信するための手段と、
前記１つ以上の受信されたＧＮＳＳ  ＳＡ情報信号の少なくとも一部に少なくともある程度基づいて、少なくとも１つのＧＮＳＳ信号を捕捉するための手段と、
を備える装置。
［４５］  １つ以上のネイティブフォーマット化ＧＮＳＳ  ＳＡ情報信号の少なくとも一部に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号を確立するための手段を更に備えており、
前記１つ以上の受信されたＧＮＳＳ  ＳＡ情報信号の少なくとも前記一部に少なくともある程度基づいて、前記少なくとも１つのＧＮＳＳ信号を捕捉するための手段は、前記１つ以上の確立されたネイティブフォーマット化ＧＮＳＳ  ＳＡ情報信号の少なくとも一部に少なくともある程度基づいて、前記少なくとも１つのＧＮＳＳ信号を捕捉するための手段を備える、［４４］に記載の装置。
［４６］  前記１つ以上のフォーマット修正ＧＮＳＳ  ＳＡ情報信号は選択されたＧＮＳＳリソースに関連する１つ以上の対応するネイティブフォーマット化ＧＮＳＳ  ＳＡ情報信号の一部を表す、［４４］に記載の装置。
［４７］  前記１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［４６］に記載の装置。
［４８］  前記１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［４６］に記載の装置。
［４９］  前記１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［４６］に記載の装置。
［５０］  少なくとも１つの基準タイム信号に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号を確立するための手段を更に備える、［４５］に記載の装置。
［５１］  前記１つ以上のフォーマット修正ＧＮＳＳ  ＳＡ情報信号の少なくとも一部に少なくともある程度基づいて、前記受信された１つ以上のフォーマット修正ＧＮＳＳ  ＳＡ情報信号に対応する前記１つ以上のネイティブフォーマット化ＧＮＳＳ  ＳＡ情報信号内に少なくとも１つの符号化された情報信号を確立するための手段を更に備える、［４５］に記載の装置。
［５２］  前記１つ以上のフォーマット修正ＧＮＳＳ  ＳＡ情報信号および／または選択されたＧＮＳＳリソースの少なくとも１つを識別する要求要素信号を備える少なくとも１つの要請メッセージを前記位置探索サーバに送信するための手段を更に備える、［４４］に記載の装置。
［５３］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［４４］に記載の装置。
［５４］  無線通信ネットワーク内で位置探索支援を移動局に供与する際の使用のための位置探索サーバ装置であって、
１つ以上の受信されたＧＮＳＳ信号に少なくともある程度基づいて、１つ以上のフォーマット修正グローバルナビゲーション衛星システム（ＧＮＳＳ）感度支援（ＳＡ）情報信号を確立することを動作的に可能にされた信号プロセッサと、
少なくとも前記信号プロセッサに動作的に接続されていて、前記１つ以上のフォーマット修正ＧＮＳＳ  ＳＡ情報信号の少なくとも一部を少なくとも１つのメッセージを介して前記移動局に送信することを動作的に可能にされた送信機と、
を備える位置探索サーバ装置。
［５５］  前記１つ以上のフォーマット修正ＧＮＳＳ  ＳＡ情報信号は選択されたＧＮＳＳリソースに関連する１つ以上の対応するネイティブフォーマット化ＧＮＳＳ  ＳＡ情報信号の一部を表す、［５４］に記載の装置。
［５６］  前記１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［５５］に記載の装置。
［５７］  前記１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［５５］に記載の装置。
［５８］  前記１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［５５］に記載の装置。
［５９］  前記移動局によって送信された少なくとも１つの要請メッセージを受信するための受信機を更に備え、前記少なくとも１つの要請メッセージは前記１つ以上のフォーマット修正ＧＮＳＳ  ＳＡ情報信号および／または選択されたＧＮＳＳリソースの少なくとも１つを識別する要求要素信号を備える、［５４］に記載の位置探索サーバ装置。
［６０］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［５４］に記載の装置。
［６１］  無線通信ネットワーク内で位置探索支援を受信することを動作的に可能にされた移動局における使用のための特定の装置であって、
少なくとも１つのメッセージを位置探索サーバから受信することを動作的に可能にされた無線通信ネットワークインタフェースと、前記少なくとも１つのメッセージは１つ以上のフォーマット修正グローバルナビゲーション衛星システム（ＧＮＳＳ）感度支援（ＳＡ）情報信号を備える、
前記１つ以上のフォーマット修正ＧＮＳＳ  ＳＡ情報信号に少なくともある程度基づいて、ＧＮＳＳ信号を選択的に捕捉することを動作的に可能にされた衛星測位システム（ＳＰＳ）受信機と、
を備える特定の装置。
［６２］  前記特定の装置は前記１つ以上のフォーマット修正ＧＮＳＳ情報信号に対応する１つ以上のネイティブフォーマット化ＧＮＳＳ  ＳＡ情報信号を確立することを動作的に可能にされた信号プロセッサを更に備えており、
前記ＳＰＳ受信機は前記１つ以上の確立されたネイティブフォーマット化ＧＮＳＳ  ＳＡ情報信号に少なくともある程度基づいて、ＧＮＳＳ信号を選択的に捕捉することを動作的に可能にされている、［６１］に記載の特定の装置。
［６３］  前記１つ以上のフォーマット修正ＧＮＳＳ  ＳＡ情報信号は選択されたＧＮＳＳリソースに関連する１つ以上の対応するネイティブフォーマット化ＧＮＳＳ  ＳＡ情報信号の一部を表す、［６１］に記載の特定の装置。
［６４］  前記１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［６３］に記載の特定の装置。
［６５］  前記１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［６３］に記載の特定の装置。
［６６］  前記１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［６３］に記載の特定の装置。
［６７］  前記信号プロセッサは少なくとも１つの基準タイム信号に少なくともある程度基づいて、前記１つ以上のネイティブフォーマット化ＧＮＳＳ  ＳＡ情報信号を確立することを動作的に可能にされている、［６２］に記載の特定の装置。
［６８］  前記信号プロセッサは前記１つ以上のフォーマット修正ＧＮＳＳ  ＳＡ情報信号の少なくとも一部に少なくともある程度基づいて、前記受信された１つ以上のフォーマット修正ＧＮＳＳ  ＳＡ情報信号対応する前記１つ以上のネイティブフォーマット化ＧＮＳＳ  ＳＡ情報信号内に少なくとも１つの符号化された情報信号を確立することを動作的に可能にされている、［６２］に記載の特定の装置。
［６９］  前記無線通信ネットワークインタフェースは少なくとも１つの要請メッセージを前記位置探索サーバに送信することを動作的に可能にされ、前記少なくとも１つの要請メッセージは前記１つ以上のフォーマット修正ＧＮＳＳ  ＳＡ情報信号および／または選択されたＧＮＳＳリソースの少なくとも１つを識別する要求要素信号を備える、［６１］に記載の特定の装置。
［７０］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［６１］に記載の特定の装置。
［７１］  無線通信ネットワーク内で位置探索支援を受信することを動作的に可能にされた移動局における使用のための特定の装置であって、
少なくとも１つのメッセージを表す少なくとも１つの信号を、前記移動局に位置探索支援を供与することを動作的に可能にされた位置探索サーバに通信リンク上で送信することを動作的に可能にされた無線通信ネットワークインタフェースを備え、前記少なくとも１つのメッセージはネイティブフォーマットまたは修正フォーマットの１つ以上のグローバルナビゲーション衛星システム（ＧＮＳＳ）感度支援（ＳＡ）情報信号を選択的に要求する少なくとも１つのフォーマットインジケータを備える、特定の装置。
［７２］  前記修正フォーマットになっているときに前記１つ以上のＧＮＳＳ  ＳＡ情報信号は前記ネイティブフォーマットの前記１つ以上のＧＮＳＳ  ＳＡ情報信号の一部を表す、［７１］に記載の特定の装置。
［７３］  前記修正フォーマットになっているときに前記１つ以上のＧＮＳＳ  ＳＡ情報信号はプリアンブル情報信号、符号化情報信号および／またはタイムマーク情報信号のうちの少なくとも１つを備えない、［７１］に記載の特定の装置。
［７４］  前記少なくとも１つのメッセージは選択されたＧＮＳＳリソースを識別するインジケータを備える、［７１］に記載の特定の装置。
［７５］  前記１つ以上のＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［７１］に記載の特定の装置。
［７６］  前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、［７１］に記載の特定の装置。
［７７］  ある特定の装置内の１つ以上の処理ユニットによって実現された場合に前記特定の装置が、
１つ以上の受信されたＧＮＳＳ信号に少なくともある程度基づいて１つ以上のフォーマット修正グローバルナビゲーション衛星システム（ＧＮＳＳ）感度支援（ＳＡ）情報信号を確立することと、
前記１つ以上のフォーマット修正ＧＮＳＳ  ＳＡ情報信号の移動局への通信リンク上での送信を開始することと、前記１つ以上のフォーマット修正ＧＮＳＳ  ＳＡ情報信号は少なくとも１つのメッセージを介して送信される、
を動作的に可能にするコンピュータ実行可能命令を記憶しているコンピュータ可読媒体を備える製品。
［７８］  前記１つ以上のフォーマット修正ＧＮＳＳ  ＳＡ情報信号に対応する１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［７７］に記載の製品。
［７９］  前記１つ以上のフォーマット修正ＧＮＳＳ  ＳＡ情報信号に対応する１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［７７］に記載の製品。
［８０］  前記１つ以上のフォーマット修正ＧＮＳＳ  ＳＡ情報信号に対応する１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［７７］に記載の製品。
［８１］  前記１つ以上の処理ユニットによって実現された場合に前記特定の装置が、
前記移動局からの少なくとも１つの要請メッセージにアクセスすること、前記少なくとも１つの要請メッセージは前記１つ以上のフォーマット修正ＧＮＳＳ  ＳＡ情報信号および／または選択されたＧＮＳＳリソースの少なくとも１つを識別する少なくとも１つのインジケータ信号を有する要求要素信号を備える、
を動作的に可能にするコンピュータ実行可能命令を更に備える、［７７に記載の製品。
［８２］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［７７］に記載の製品。
［８３］  前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、［７７］に記載の製品。
［８４］  ある特定の装置内の１つ以上の処理ユニットによって実現された場合に前記特定の装置が、
位置探索サーバからの少なくとも１つのメッセージにアクセスすることと、前記少なくとも１つのメッセージは１つ以上のフォーマット修正グローバルナビゲーション衛星システム（ＧＮＳＳ）感度支援（ＳＡ）情報信号を備える、
前記１つ以上の受信されたＧＮＳＳ  ＳＡ情報信号の少なくとも一部に少なくともある程度基づいて、少なくとも１つのＧＮＳＳ信号を捕捉することを動作的に可能にされた受信機に前記１つ以上のＧＮＳＳ  ＳＡ情報信号の少なくとも前記一部を供与することと、を動作的に可能にするコンピュータ実行可能命令を記憶しているコンピュータ可読媒体を備える製品。
［８５］  前記１つ以上のフォーマット修正ＧＮＳＳ  ＳＡ情報信号に対応する１つ以上のネイティブフォーマット化ＧＮＳＳ  ＳＡ情報信号はプリアンブル情報信号を備えており、前記１つ以上のフォーマット修正ＧＮＳＳ  ＳＡ情報信号は前記プリアンブル情報信号を備えない、［８４］に記載の製品。
［８６］  前記１つ以上のフォーマット修正ＧＮＳＳ  ＳＡ情報信号に対応する１つ以上のネイティブフォーマット化ＧＮＳＳ  ＳＡ情報信号は少なくとも１つの符号化された情報信号を備えており、前記１つ以上のフォーマット修正ＧＮＳＳ  ＳＡ情報信号は前記符号化された情報信号を備えない、［８４］に記載の製品。
［８７］  前記１つ以上のフォーマット修正ＧＮＳＳ  ＳＡ情報信号に対応する１つ以上のネイティブフォーマット化ＧＮＳＳ  ＳＡ情報信号はタイムマーク情報信号を備えており、前記１つ以上のフォーマット修正ＧＮＳＳ  ＳＡ情報信号は前記タイムマーク情報信号を備えない、［８４］に記載の製品。
［８８］  前記１つ以上の処理ユニットによって実現された場合に前記特定の装置が、
前記１つ以上のフォーマット修正ＧＮＳＳ  ＳＡ情報信号の少なくとも一部と少なくとも１つの基準タイム信号とに少なくともある程度基づいて、１つ以上のネイティブフォーマット化ＧＮＳＳ情報信号を確立することとを可能にするコンピュータ実行可能命令を更に備える、［８４］に記載の製品。
［８９］  前記１つ以上の処理ユニットによって実現された場合に前記特定の装置が、
前記１つ以上のフォーマット修正ＧＮＳＳ  ＳＡ情報信号の少なくとも一部に少なくともある程度基づいて、１つ以上のネイティブフォーマット化ＧＮＳＳ情報信号内に少なくとも１つの符号化された情報信号を確立することを動作的に可能にするコンピュータ実行可能命令を更に備える、［８４］に記載の製品。
［９０］  前記１つ以上の処理ユニットによって実現された場合に前記特定の装置が、
少なくとも１つの要請メッセージの前記位置探索サーバへの送信を開始すること、前記少なくとも１つの要請メッセージは前記１つ以上のフォーマット修正ＧＮＳＳ  ＳＡ情報信号および／または選択されたＧＮＳＳリソースの少なくとも１つを識別する要求要素信号を備える、
を動作的に可能にするコンピュータ実行可能命令を更に備える、［８４］に記載の製品。
［９１］  前記１つ以上のフォーマット修正ＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［８４］に記載の製品。
［９２］  ある特定の装置内の１つ以上の処理ユニットによって実現された場合に前記特定の装置が、
少なくとも１つのメッセージを表す１つ以上の信号の、通信リンク上での位置探索サーバへの送信を開始すること、前記少なくとも１つのメッセージはネイティブフォーマットまたは修正フォーマットの１つ以上のグローバルナビゲーション衛星システム（ＧＮＳＳ）感度支援（ＳＡ）情報信号を選択的に要求する少なくとも１つのフォーマットインジケータを備える、
を動作的に可能にするコンピュータ実行可能命令を記憶しているコンピュータ可読媒体を備える製品。
［９３］  前記修正フォーマットになっているときに前記１つ以上のＧＮＳＳ  ＳＡ情報信号は前記ネイティブフォーマットの前記１つ以上のＧＮＳＳ  ＳＡ情報信号の一部を表す、［９２］に記載の製品。
［９４］  前記修正フォーマットになっているときに前記１つ以上のＧＮＳＳ  ＳＡ情報信号はプリアンブル情報信号、符号化情報信号および／またはタイムマーク情報信号の少なくとも１つを備えない、［９２］に記載の製品。
［９５］  前記少なくとも１つのメッセージは選択されたＧＮＳＳリソースを識別するインジケータを備える、［９２］に記載の製品。
［９６］  前記１つ以上のＧＮＳＳ  ＳＡ情報信号はＧＰＳリソース、ＳＢＡＳリソース、ＱＺＳＳリソース、ＧＬＯＮＡＳＳリソース、Ｇａｌｉｌｅｏリソース、および／またはＣｏｍｐａｓｓ／ＢｅｉＤｏｕリソースのうちの少なくとも１つを備える少なくとも１つのＧＮＳＳリソースに関連している、［９２］に記載の製品。
［９７］  前記１つ以上のフォーマット修正ＧＮＳＳ  ＳＡ情報信号はＧＮＳＳ信号、ＧＮＳＳ信号帯域、衛星測位システム（ＳＰＳ）信号、および／または宇宙船（ＳＶ）のうちの少なくとも１つに関連している、［９２］に記載の製品。
【図１】
0005591803.tif 000008
【図２】
0005591803.tif 000009
【図３】
0005591803.tif 000010
【図４】
0005591803.tif 000011
【図５】
0005591803.tif 000012
【図６】
0005591803.tif 000013
【図７】
0005591803.tif 000014
【図８】
0005591803.tif 000015